(57)【特許請求の範囲】
【請求項１】
棚札サーバと複数の電子棚札との間、及び、前記棚札サーバと携帯端末との間が、通信回線で接続されて通信を行う電子棚札システムであって、
前記電子棚札は、該電子棚札を識別する棚札ＩＤを備えると共に、前記棚札サーバから送信される前記商品の商品情報を受信して表示し、
前記棚札サーバは、商品登録情報を備えていると共に、
該商品登録情報は、前記棚札ＩＤ毎に、該棚札ＩＤと対応して構成されている情報であって、該棚札ＩＤを備えた前記電子棚札が表示の対象とする前記商品を識別する商品ＩＤと、前記商品の前記商品情報と、前記商品が陳列される陳列場所を識別する陳列場所ＩＤと、で少なくとも構成されており、
同一の商品を表示対象とする前記電子棚札が、単又は複数の前記陳列場所に陳列されており、
前記携帯端末に前記棚札ＩＤが入力されると、該携帯端末は、入力された該棚札ＩＤを前記棚札サーバへ送信し、
前記棚札サーバは、受信した該棚札ＩＤに基づいて前記商品登録情報を検索し、該棚札ＩＤと対応する前記商品登録情報に含まれる前記商品ＩＤを抽出すると共に、抽出された該商品ＩＤに基づいて前記商品登録情報を検索し、該商品ＩＤが含まれる前記商品登録情報が含んでいる前記陳列場所ＩＤを抽出して、抽出された該陳列場所ＩＤを、前記携帯端末に送信すると、
前記携帯端末は、受信した全ての該陳列場所ＩＤの内、少なくとも一部を、前記携帯端末に表示することを特徴とする電子棚札システム。
【請求項２】
前記棚札サーバは、前記商品ＩＤを、前記陳列場所ＩＤと共に前記携帯端末に送信し、
前記携帯端末は、受信した前記商品ＩＤを、前記陳列場所ＩＤと共に表示する請求項１記載の電子棚札システム。
【請求項３】
前記携帯端末は、バーコードリーダを備えると共に、前記電子棚札は、前記棚札ＩＤを表す棚札ＩＤバーコードを備えており、
前記携帯端末への前記棚札ＩＤの入力は、前記携帯端末が備えるバーコードリーダにより、前記電子棚札が備える棚札ＩＤバーコードが読取られることにより行われる請求項１又は２記載の電子棚札システム。
【請求項４】
同一の商品が、複数の前記陳列場所に存在している場合、いずれか一つの前記陳列場所を、元売場、その他の前記陳列場所を、先売場、と区別して管理する場合に、
前記元売場／先売場の区別が、前記陳列場所ＩＤと共に前記商品登録情報に含まれており、
前記棚札サーバは、前記商品登録情報を検索して前記陳列場所ＩＤを抽出する際に、該陳列場所ＩＤと共に前記元売場／先売場の区別を抽出して、抽出された該元売場／先売場の区別を、前記陳列場所ＩＤと共に前記携帯端末に送信し、
前記携帯端末は、受信した前記元売場／先売場の区別を、前記陳列場所ＩＤと共に、前記携帯端末に表示する請求項１〜３のいずれか１項に記載の電子棚札システム。
【請求項５】
棚札サーバと複数の電子棚札との間、及び、前記棚札サーバと携帯端末との間が、通信回線で接続されて通信を行う電子棚札システムであって、
同一の商品を表示対象とする前記電子棚札が、単又は複数の前記陳列場所に陳列されており、
前記電子棚札は、該電子棚札を識別する棚札ＩＤを備えると共に、前記棚札サーバから送信される前記商品の商品情報を受信して表示し、
前記棚札サーバは、商品登録情報を備えていると共に、
該商品登録情報は、前記棚札ＩＤ毎に、該棚札ＩＤと対応して構成されている情報であって、該棚札ＩＤを備えた前記電子棚札が表示の対象とする前記商品を識別する商品ＩＤと、前記商品の前記商品情報と、前記商品が陳列される陳列場所を識別する自場所陳列場所ＩＤとで少なくとも構成されており、
前記棚札ＩＤを備えた前記電子棚札が表示の対象とする前記商品が他の場所に存在する場合に、前記商品登録情報には、前記他の陳列場所を識別する他場所陳列場所ＩＤが追加されて記憶されており、
前記携帯端末に前記棚札ＩＤが入力されると、該携帯端末は、入力された該棚札ＩＤを前記棚札サーバへ送信し、
前記棚札サーバは、受信した該棚札ＩＤに基づいて前記商品登録情報を検索し、該棚札ＩＤが含まれる前記商品登録情報が含んでいる前記自場所陳列場所ＩＤ、及び、前記他場所陳列場所ＩＤを抽出して、抽出された前記自場所陳列場所ＩＤ、及び、前記他場所陳列場所ＩＤを前記携帯端末に送信すると、
前記携帯端末は、受信した前記自場所陳列場所ＩＤ、及び、前記他場所陳列場所ＩＤを、前記携帯端末に表示することを特徴とする電子棚札システム。
【請求項６】
前記携帯端末は、バーコードリーダを備えると共に、前記電子棚札は、前記棚札ＩＤを表す棚札ＩＤバーコードを備えており、
前記携帯端末への前記棚札ＩＤの入力は、前記携帯端末が備えるバーコードリーダにより、前記電子棚札が備える棚札ＩＤバーコードが読取られることで行われる請求項５記載の電子棚札システム。
【発明の詳細な説明】
【技術分野】
【０００１】
本発明は、店舗に陳列される商品の近傍に設置され、当該商品に関する商品情報の表示を行う電子棚札を用いた電子棚札システムに関する。
【背景技術】
【０００２】
スーパーマーケットや小売店等の店舗では、販売する商品の名称や価格等の商品情報を表示する必要があり、従来は、商品名や価格等を記載した棚札を、商品の近傍に設置して表示していた。
【０００３】
又、これらのスーパーマーケットや小売店等の店舗では、売上増加を図るため、販売政策上、同一商品を、店舗内の複数の異なる場所に分散して陳列することが多く行われている。この場合に、複数の場所に分散して陳列された同一商品の陳列場所の陳列場所ＩＤを明示するような資料等が、予め作成されるようなことは、通常、行われていない。
【０００４】
そのため、同一商品が陳列されている複数の場所の把握は、担当者の記憶や、商品の品出しを行う際に、品出し担当者等により作成される手書のメモ等に頼らざるを得なかった。
【０００５】
この点に関し、同一商品の存在場所が複数となるような場合の管理を、コンピュータを用いて電子的に行うシステムとして、チェーンストアの商品の管理に関する特許文献１に記載のようなシステムが提案されている。
【特許文献１】特開平８−６９４９５号公報
【発明の開示】
【発明が解決しようとする課題】
【０００６】
上記の特許文献１に記載されているシステムは、多数の店舗のそれぞれで販売されている商品を、商品の種類や数量に関して一元的に管理し、発注や棚卸等の業務の効率化を図ろうとするものである。
【０００７】
そのため、このシステムは、一つの店舗内において、同一商品が陳列されている複数の場所を具体的に把握しようとするものではなく、従って、同一商品が陳列されている複数の場所を把握しようとする目的に対しては、適合するものとは言いがたい。
【０００８】
ところで、上述したように、商品名や価格等を記載した棚札の作成及び設置は、従来、人手による手作業で行われており、作業効率や作業コストの点で問題であった。そこで、この商品に対する商品情報の表示を電子的に行う電子棚札システムが提案されている。
【０００９】
この電子棚札システムは、店舗に陳列される商品の近傍に設けられた複数の電子棚札とサーバとで構成され、サーバと電子棚札とは、無線通信回線で接続されている。このシステムでは、電子棚札には、電子棚札の近傍に陳列される商品の情報が、サーバから送信されて表示される仕組である。
【００１０】
この電子棚札システムにおいて、電子棚札で表示される内容は、単なる商品名と価格のみである。従って、上記の電子棚札システムにおけるサーバが備える情報も、これらの商品名や価格に関する情報のみに限られている。
【００１１】
そのため、上記の電子棚札システムにおいても、同一商品が陳列されている複数の場所の把握は、商品名や価格等を記載した棚札の作成及び設置を人手による手作業で行う従来の方法と、変るところがなく、同一商品を、店舗内の異なる場所に分散して陳列する場合に、同一商品が陳列されている複数の場所を容易に把握することが可能な電子棚札システムが要望されていた。
【００１２】
そこで、この発明は、上記のような要望に対処するためになされたものであって、同一商品を、店舗内の異なる場所に分散して陳列する場合に、同一商品が陳列されている複数の場所の把握を、容易に行うことが可能な電子棚札システムを提供しようとするものである。
【課題を解決するための手段】
【００１３】
本発明の電子棚札システムは、第１の電子棚札システムと第２の電子棚札システムに分けることができる。まず、本発明の第１の電子棚札システムについて説明する。
【００１４】
本発明の第１の電子棚札システムは、棚札サーバ、複数の電子棚札、及び、携帯端末で構成されている。この携帯端末は、一般には、ハンディターミナルと称する。この電子棚札システムでは、上記の棚札サーバと電子棚札との間、及び、棚札サーバと携帯端末との間が、通信回線で接続されており、通信が行われる。
【００１５】
この電子棚札システムにおける上記の電子棚札は、該電子棚札を識別する棚札ＩＤを備えると共に、棚札サーバから送信される商品の商品情報を受信して表示する。
【００１６】
又、上記棚札サーバは、棚札ＩＤ毎に、該棚札ＩＤと対応して構成されている商品登録情報を備えている。この商品登録情報は、上記の棚札ＩＤを備えた電子棚札が表示の対象とする商品を識別する商品ＩＤと、商品の商品情報と、商品が陳列される陳列場所を識別する陳列場所ＩＤと、で少なくとも構成されている。
【００１７】
上記の第１の電子棚札システムでは、同一の商品を表示対象とする電子棚札が、単又は複数の陳列場所に陳列されている。
【００２２】
本発明の第１の電子棚札システムは、携帯端末へ電子棚札が備える棚札ＩＤを入力するようにしたものである。
【００２３】
第１の電子棚札システムでは、携帯端末に棚札ＩＤが入力される。そこで、該携帯端末は、入力された該棚札ＩＤを棚札サーバへ送信する。すると、該棚札ＩＤを受信した棚札サーバは、受信した該棚札ＩＤに基づいて商品登録情報を検索し、該棚札ＩＤと対応する商品登録情報に含まれている商品ＩＤを抽出する。そして、抽出された該商品ＩＤに基づいて商品登録情報を検索し、該商品ＩＤが含まれている商品登録情報が含んでいる陳列場所ＩＤを抽出し、この抽出された該陳列場所ＩＤを、商品ＩＤと共に携帯端末に送信する。すると、さらに、該陳列場所ＩＤを受信した携帯端末は、受信した全ての該陳列場所ＩＤの内、少なくとも一部を、携帯端末に表示する。上記の第１の電子棚札システムは、このような特徴を備えている。
【００２４】
第１の電子棚札システムによれば、携帯端末に棚札ＩＤを入力することにより、この棚札ＩＤを備えた電子棚札が表示の対象としている商品と同一商品で、店舗内の異なる場所に分散して陳列されている商品に対する陳列場所の陳列場所ＩＤを、携帯端末で表示することができる。そのため、同一商品が陳列されている複数の場所の把握を、容易に行うことができる。
【００２５】
第１の電子棚札システムにおいて、次のように対処するようにしてもよい。即ち、棚札サーバは、商品ＩＤを、陳列場所ＩＤと共に携帯端末に送信する。すると、携帯端末は、受信した商品ＩＤを、陳列場所ＩＤと共に表示するようにするのである。
【００２６】
このようにすることにより、陳列場所を示す陳列場所ＩＤと、当該陳列場所に陳列されている棚札を表す棚札ＩＤ及び商品を表す商品ＩＤの双方を表示することができ、複数の陳列場所を棚札ＩＤ及び商品ＩＤと対応付けて把握することができる。
【００２７】
第１の電子棚札システムにおいて、電子棚札は、自己を識別する棚札ＩＤを表す棚札ＩＤバーコードを備えると共に、携帯端末にバーコードリーダを備えるのが好適である。
【００２８】
この場合には、携帯端末への棚札ＩＤの入力は、携帯端末が備えるバーコードリーダにより、電子棚札が備える棚札ＩＤバーコードを読取ることで行われる。そのため、上記の第１の電子棚札システムによれば、棚札ＩＤの携帯端末への読取を容易にすることができ、同一商品が陳列されている複数の場所の把握を、よりいっそう、容易に行うことができる。
【００２９】
ところで、スーパーマーケット等の店舗においては、同一の商品が、複数の陳列場所に存在している場合に、いずれか一つの陳列場所を、元売場、その他の陳列場所を、先売場、と区別して管理する仕組が採用されている場合が多い。
【００３０】
このような場合に、次のようにするのが好適である。即ち、上記の電子棚札システムにおいて、棚札サーバが備える商品登録情報を、上記の元売場／先売場の区別が、陳列場所ＩＤと共に含まれるようにして構成する。そして、棚札サーバは、この商品登録情報を検索して陳列場所ＩＤを抽出する際に、該陳列場所ＩＤと共に元売場／先売場の区別を抽出して、抽出された該元売場／先売場の区別を、陳列場所ＩＤと共に携帯端末に送信する。すると、携帯端末は、受信した元売場／先売場の区別を、陳列場所ＩＤと共に、携帯端末に表示するようにするのである。
【００３１】
上記の電子棚札システムによれば、店舗内の異なる場所に分散して陳列されている同一商品ＩＤの商品に対する全ての陳列場所の陳列場所ＩＤを、携帯端末で表示する際に、元売場／先売場の区別を、陳列場所ＩＤと共に携帯端末に表示することができる。そのため、同一商品が陳列されている複数の場所の把握を、元売場／先売場の区別も含めて、容易に行うことができる。
【００３２】
次に、本発明の第２の電子棚札システムについて説明する。本発明の第２の電子棚札システムの構成は、上記の第１の電子棚札システムと全く同じである。又、棚札サーバが備える商品登録情報も、下記に記載の点以外は、上記の第１の電子棚札システムと全く同じである。又、同一の商品の商品情報を表示する電子棚札が、単又は複数の陳列場所に存在していることも、上記の第１の電子棚札システムと同様である。
【００３３】
本発明の第２の電子棚札システムが上記の第１の電子棚札システムと異なるのは、次の点である。まず、本発明の第２の電子棚札システムの棚札サーバが備える商品登録情報は、当該商品登録情報が対応する当該棚札ＩＤを備える電子棚札が存在する陳列場所の陳列場所ＩＤ（これを自場所陳列場所ＩＤと称する）以外に、他場所陳列場所ＩＤが追加される。
【００３４】
この他場所陳列場所ＩＤは、当該棚札ＩＤを備えた電子棚札が表示の対象とする商品が他の場所に存在する場合に、商品登録情報に追加されて記憶されている。この追加される他場所陳列場所ＩＤは、当該棚札ＩＤを備えた電子棚札以外の他の棚札ＩＤを備えた電子棚札と共に陳列される商品の陳列場所を識別する陳列場所ＩＤである。
【００３５】
そして、携帯端末に棚札ＩＤが入力され、該携帯端末から棚札サーバへ、入力された該棚札ＩＤが送信されると、棚札サーバは、受信した該棚札ＩＤに基づいて商品登録情報を検索し、該棚札ＩＤが含まれる商品登録情報が含んでいる自場所陳列場所ＩＤ、及び、他場所陳列場所ＩＤが存在する場合は、この他場所陳列場所ＩＤを抽出する。そして、さらに、抽出された自場所陳列場所ＩＤ、及び、他場所陳列場所ＩＤを携帯端末に送信する。
【００３６】
すると、携帯端末は、受信した自場所陳列場所ＩＤ、及び、他場所陳列場所ＩＤを、携帯端末に表示する。上記の第２の電子棚札システムは、このような特徴を備えている。
【００３７】
上記の第２の電子棚札システムによれば、上述した第１の電子棚札システムと同様、携帯端末に棚札ＩＤを入力することにより、この棚札ＩＤを備えた電子棚札が表示の対象としている商品と同一商品で、店舗内の異なる場所に分散して陳列されている商品に対する陳列場所の陳列場所ＩＤを、携帯端末で表示することができる。そのため、同一商品が陳列されている複数の場所の把握を、容易に行うことができる。
【００３８】
又、上記の第２の電子棚札システムにおいて、上述した第１の電子棚札システムと同様、電子棚札は、自己を識別する棚札ＩＤを表す棚札ＩＤバーコードを備えると共に、携帯端末にバーコードリーダを備えるのが好適である。
【００３９】
この場合には、携帯端末への棚札ＩＤの入力は、上述した第１の電子棚札システムと同様、携帯端末が備えるバーコードリーダにより、電子棚札が備える棚札ＩＤバーコードを読取ることで行われる。そのため、上記の第２の電子棚札システムによれば、棚札ＩＤの携帯端末への読取を容易にすることができ、同一商品が陳列されている複数の場所の把握を、よりいっそう、容易に行うことができる。
【発明の効果】
【００４０】
本発明の電子棚札システムによれば、携帯端末に棚札ＩＤを入力することにより、店舗内の異なる場所に分散して陳列されている同一商品ＩＤの商品に対する陳列場所を、携帯端末で表示することができる。そのため、同一商品が陳列されている複数の場所の把握を、容易に行うことができる。
【００４１】
又、当該電子棚札システムにおいて、同一の商品が存在している複数の各陳列場所に対して、元売場／先売場を区別する仕組を導入している場合に、商品登録情報に元売場／先売場の区別を含むようにすることで、この元売場／先売場の区別を、陳列場所ＩＤと共に、携帯端末に表示することができる。そのため、同一商品が陳列されている複数の場所の把握を、元売場／先売場の区別も含めて、容易に行うことができる。
【発明を実施するための最良の形態】
【００４２】
次に、本発明の実施の形態における電子棚札システムについて、図面を参照しながら説明する。本発明の実施の形態における説明としては、前述の第１の電子棚札システムに該当する実施の形態１における電子棚札システムと、前述の第２の電子棚札システムに該当する実施の形態２における電子棚札システムとに分けて説明する。
【００４３】
＜実施の形態１＞
まず、実施の形態１における電子棚札システムについて説明する。最初に、実施の形態１における電子棚札システムの構成について説明する。図１は、実施の形態１における電子棚札システムの構成を示したブロック図である。図１において、実施の形態１における電子棚札システムは、スーパーマーケットや小売店等の店舗で用いられるシステムであり、商品が陳列される近傍に設置された複数の電子棚札１と、棚札サーバ２、及び、携帯端末３で構成される。この携帯端末３は、一般的には、ハンディターミナルと称する。上記の電子棚札１及び携帯端末３は、それぞれ、棚札サーバ２と無線ＬＡＮで接続されている。
【００４４】
実施の形態１における電子棚札システムは、商品が陳列される近傍に設置された複数の電子棚札１に対して、この電子棚札１の近傍に陳列されている商品の情報が、棚札サーバ２から送信され、この電子棚札１で表示される仕組のシステムである。携帯端末３は、この電子棚札システムの運用に対する各種情報の登録や確認に用いられる。
【００４５】
実施の形態１における電子棚札システムは、同一の商品及び該商品の商品情報を表示する電子棚札が、複数の陳列場所に存在している場合に、店舗内の異なる場所に分散して陳列されている同一商品の全ての陳列場所、即ち、電子棚札１の全ての存在場所を、携帯端末３に表示する商品陳列場所確認処理ができることに、特徴を有している。
【００４６】
図２は、棚札サーバ２の構成を示したブロック図である。図２において、棚札サーバ２は、ＣＰＵ２１、メモリ２２、ＨＤＤ２３、アンテナ２４ａを備えた無線通信部２４、表示部２５、及び、操作部２６で構成されている。これらの各部は、ＣＰＵ２１に接続されたデータバスやアドレスバス等で構成される制御ライン２７を介して、相互に接続されている。
【００４７】
ＣＰＵ２１は、マイクロプロセッサで構成されており、メモリ２２は、ＲＡＭやフラッシュメモリ等で構成されている。又、ＨＤＤ２３には、棚札サーバ２を制御するのに必要なＯＳや各種の処理プログラム等のソフトウエアが格納されている。ＣＰＵ２１は、このＨＤＤ２３に搭載されたソフトウエアにより、棚札サーバ２における各種の処理を行う。無線通信部２４は、無線ＬＡＮを介して、電子棚札１及び携帯端末３と通信を行う。表示部２５は、各種の情報を表示する。又、操作部２６は、棚札サーバ２に対する情報の入力や各種の指示を行うのに使用される。
【００４８】
図３は、携帯端末３の外観図であり、図４は、携帯端末３の構成を示したブロック図である。図３、図４において、携帯端末３は、ＣＰＵ３１、メモリ３２、アンテナ３３ａを備えた無線通信部３３、表示部３４、操作部３５、及び、バーコードリーダ部３６で構成されている。これらの各部は、棚札サーバ２と同様、ＣＰＵ３１に接続されたデータバスやアドレスバス等で構成される制御ライン３７を介して、相互に接続されている。
【００４９】
ＣＰＵ３１は、マイクロプロセッサで構成されており、メモリ３２は、ＲＡＭやフラッシュメモリ等で構成されている。このメモリ３２には、携帯端末３を制御するのに必要なＯＳや各種の処理プログラム等のソフトウエアが格納されている。ＣＰＵ３１は、このメモリ３２に搭載されたソフトウエアにより、携帯端末３における各種の処理を行う。無線通信部３３は、無線ＬＡＮを介して、棚札サーバ２と通信を行う。無線通信部３３のアンテナ３３ａは、携帯端末３の筐体の最上部に備えられている。
【００５０】
尚、後述する実施の形態１における電子棚札システムの動作説明では特に触れていないが、携帯端末３には、携帯端末３を識別するユニークな携帯端末ＩＤが備えられている。棚札サーバ２と携帯端末３とが通信を行う際には、この携帯端末ＩＤが用いられ、棚札サーバ２は、この携帯端末ＩＤを認識することにより、携帯端末３を区別している。
【００５１】
表示部３４は、携帯端末３の筐体上部に備えられたＬＣＤ表示部３４ａと、このＬＣＤ表示部３４ａの下に備えられたタッチパネル部３４ｂとで構成されている。ＬＣＤ表示部３４ａは、各種情報が表示される部分であり、タッチパネル部３４ｂには、スイッチの名称がＬＣＤの表示により可変可能な、４個のタッチパネルスイッチが備えられている。
【００５２】
操作部３５は、携帯端末３の筐体下部の右側に備えられたテンキー３５ａと左側に備えられたカーソルキー３５ｂとで構成される。テンキー３５ａは、数字の入力に用いられ、カーソルキー３５ｂは、表示部３４のＬＣＤ表示部３４ａに表示されるカーソルの移動等に用いられる。
【００５３】
バーコードリーダ部３６は、後述の電子棚札１に備えられている棚札ＩＤのバーコードや、陳列されている商品に備えられている商品ＩＤのバーコードの読取を行う。このバーコードの読取を行うため、携帯端末３の筐体の最上部には、バーコードリーダ部３６の一部を構成するレーザ受発光部３６ａが備えられている。このレーザ受発光部３６ａから発信されるレーザ光が、棚札ＩＤのバーコードや、商品ＩＤのバーコードに照射され、反射されるレーザ光がレーザ受発光部３６ａで受光されることで、バーコードの読取が行われる。
【００５４】
図５は、電子棚札１の外観図であり、図６は、電子棚札１の構成を示したブロック図である。図５、及び、図６において、電子棚札１は、ＣＰＵ１１、メモリ１２、アンテナ１３ａを備えた無線通信部１３、及び、表示部１４で構成される。これらの各部は、ＣＰＵ１１に接続されたデータバスやアドレスバス等で構成される制御ライン１５を介して、相互に接続されている。
【００５５】
ＣＰＵ１１は、マイクロプロセッサで構成されている。メモリ１２は、ＲＡＭ或いはフラッシュメモリ等にて構成され、このメモリ１２には、ＯＳや各種のソフトウエアが格納されている。ＣＰＵ１１は、このメモリ１２に搭載されているソフトウエアにより、各種処理を行う。又、メモリ１２には、電子棚札１を識別するユニークなＩＤである棚札ＩＤが不揮発な状態で格納されている。
【００５６】
無線通信部１３は、無線ＬＡＮを介して、棚札サーバ２と通信を行う。この無線通信部１３のアンテナ１３ａは、電子棚札１の筐体の上部に備えられている。表示部１４は、ＬＣＤで構成されており、商品情報等の情報が表示される。又、電子棚札１の筐体の下部には、上記の棚札ＩＤをバーコード化した棚札ＩＤバーコード１６が印刷されている。
【００５７】
上述したように、上記の電子棚札システムは、商品が陳列される近傍に設置された複数の電子棚札１に対して、この電子棚札１の近傍に陳列されている商品の情報が、棚札サーバ２から送信され、この電子棚札１で表示される仕組のシステムである。そのため、棚札サーバ２のＨＤＤ２３には、電子棚札１で商品の情報を表示するのに必要な商品登録情報が備えられている。図７は、この商品登録情報の構成を示したものである。
【００５８】
図７において、商品登録情報は、棚札ＩＤを先頭として、該棚札ＩＤのほか、商品ＩＤ、部門ＩＤ、商品情報、元先区分、及び、陳列場所ＩＤで構成されている。商品情報は、商品名、通常価格、特別価格等や、当該商品に関するその他の情報で構成されている。この商品登録情報は、各棚札ＩＤ毎に、個々の棚札ＩＤと対応して設けられている。即ち、上記の電子棚札システムが対象とする全ての電子棚札１に対する商品登録情報が、棚札サーバ２のＨＤＤ２３に備えられている。
【００５９】
上記の商品登録情報を構成する棚札ＩＤは、上述したように、各電子棚札１を識別するのに用いられるユニークなＩＤである。商品ＩＤは、上記の棚札ＩＤを備えた電子棚札１により表示される商品情報の商品を識別するユニークなＩＤである。部門ＩＤは、上記の商品を分類する上で設けられたＩＤである。商品情報の通常価格は、上記の商品ＩＤを備えた商品の通常の販売価格であり、特別価格は、上記の商品ＩＤを備えた商品の特別の販売価格である。陳列場所ＩＤは、商品が存在する場所であり、且つ、この商品に関する商品情報を表示する電子棚札１が存在する場所でもある商品陳列場所を識別するＩＤである。
【００６０】
尚、スーパーマーケット等の店舗においては、同一の商品が、該商品の商品情報を表示する電子棚札と共に、複数の陳列場所に存在している場合に、いずれか一つの陳列場所を、元売場、その他の陳列場所を、先売場、と区別する仕組が採用されている場合が多い。上記の元先区分は、このような場合に設定される。
【００６１】
即ち、同一の商品が、複数の陳列場所に存在する場合に、それぞれの陳列場所が、それぞれ、元売場／先売場のいずれであるかを区別するのが、上記の元先区分である。この元先区分は、棚札サーバが備えている商品登録情報に、記載されている。具体的には、同一の商品が陳列されている複数の陳列場所において、それぞれの陳列場所に存在しているそれぞれの電子棚札１が備える棚札ＩＤと対応して形成されている商品登録情報に、それぞれ記載されている。
【００６２】
例として、例えば、図８に示すような場合を考える。即ち、陳列場所Ａ（図８（ａ））、陳列場所Ｂ（図８（ｂ））、及び、陳列場所Ｃ（図８（ｃ））に、商品ＩＤが２５３４である同一の商品が陳列されているとする。この場合、陳列場所Ａに存在する電子棚札１の棚札ＩＤが０１１０で、当該陳列場所の陳列場所ＩＤが０４、元先区分が先売場であるとする。又、陳列場所Ｂに存在する電子棚札１の棚札ＩＤが０１２０で、当該陳列場所の陳列場所ＩＤが０６、元先区分が先売場であるとする。そして、陳列場所Ｃに存在する電子棚札１の棚札ＩＤが０１３０で、当該陳列場所の陳列場所ＩＤが１２３、元先区分が元売場であるとする。
【００６３】
すると、棚札ＩＤが０１１０、０１２０、０１３０である各棚札ＩＤと対応する商品登録情報は、それぞれ、図９（ａ）、図９（ｂ）、及び、図９（ｃ）のように構成される。即ち、棚札ＩＤが０１３０の商品登録情報のみ、元先区分が元売場となっており、棚札ＩＤが０１１０、及び、０１２０の商品登録情報の元先区分は、先売場となっている。
【００６４】
上述したように、電子棚札１の近傍に陳列されている商品の情報が、棚札サーバ２から送信され、この電子棚札１で表示されるが、この商品の情報が、上記の商品登録情報に含まれる商品情報である。又、上記の商品登録情報に元先区分が設定されていると、この元先区分と陳列場所ＩＤとが、商品情報と共に電子棚札１に表示される。
【００６５】
そこで、例えば、上記の例において、商品登録情報が、図９（ａ）の場合では、電子棚札１の表示は、図１０のようになる。又、商品登録情報が、図９（ｃ）の場合では、電子棚札１の表示は、図１１のようになる。図１０、及び、図１１において、「先」は「先売場」、「元」は「元売場」を表している。又、「先」又は「元」の後に続く数字は、陳列場所ＩＤを表している。尚、この陳列場所ＩＤに代えて、陳列場所ＩＤと対応する陳列場所略称や記号、符号等を表示するようにしてもよい。
【００６６】
棚札サーバ２が備える上述した商品登録情報の形成は、棚札サーバ２の操作部２６からの情報の入力により、或いは、携帯端末３からの情報の入力により行われる。携帯端末３からの情報の入力は、携帯端末３の操作部３５からの情報の入力のほか、携帯端末３が備えるバーコードリーダ部３６を用いて、電子棚札１に備えられている棚札ＩＤバーコード１６や、陳列されている商品に備えられている商品ＩＤバーコードを読取ることにより行われる。
【００６７】
ところで、上述したように、上記の電子棚札システムでは、同一の商品及び該商品の商品情報を表示する電子棚札が、複数の陳列場所に存在している場合に、店舗内の異なる場所に分散して陳列されている同一商品の全ての陳列場所、即ち、電子棚札１の全ての存在場所を、携帯端末からの指示により表示できる商品陳列場所確認処理に、特徴を有している。
【００６８】
そのため、以下に述べる電子棚札システムの動作説明では、この上記の電子棚札システムの特徴である商品陳列場所確認処理について具体的に説明することとし、上記の商品登録情報の形成方法そのものについては、上記の特徴に直接関係しないので、説明を省略すると共に、上記の商品登録情報の形成が終了していることを前提として、商品陳列場所確認処理の説明を行う。
【００６９】
そこで、次に、上記の電子棚札システムの動作説明として、携帯端末３が行う商品陳列場所確認処理につき、具体的に説明する。この商品陳列場所確認処理は、上述したように、携帯端末３からの指示により行われる。図２３は、この携帯端末３におけるＬＣＤ表示部３４ａのイニシャル画面の表示画面図である。このイニシャル画面では、携帯端末３で指示可能な処理のメニューである「棚札処理メニュー」が表示されている。
【００７０】
この「棚札処理メニュー」において、メニュー番号「１」の「商品登録処理」は、携帯端末３からの入力により、商品登録情報を形成する処理である。メニュー番号「２」の「元売場登録処理」は、携帯端末３からの入力により、商品登録情報の元先区分に対して、元売場を設定する処理である。メニュー番号「３」の「先売場登録処理」は、携帯端末３からの入力により、商品登録情報の元先区分に対して、先売場を設定する処理である。
【００７１】
又、メニュー番号「４」の登録状態確認処理（１）、及び、メニュー番号「５」の登録状態確認処理（２）は、上記の商品陳列場所確認処理である。そして、メニュー番号「６」の「複数箇所陳列情報取消」は、複数の陳列場所に対する取消処理である。
【００７２】
尚、メニュー番号「４」の登録状態確認処理（１）は、特定の商品陳列場所において、この商品陳列場所に陳列されている商品と同じ商品の陳列場所を、特定の商品陳列場所に設置されている電子棚札１の棚札ＩＤを基にして、調べようとする処理である。又、メニュー番号「５」の登録状態確認処理（２）は、特定の商品陳列場所において、この商品陳列場所に陳列されている商品と同じ商品の陳列場所を、この商品の商品ＩＤを基にして、調べようとする処理である。
【００７３】
上述したように、上記の電子棚札システムの動作説明としては、商品陳列場所確認処理についてのみ説明するので、以下では、メニュー番号「４」の登録状態確認処理（１）、及び、メニュー番号「５」の登録状態確認処理（２）について説明する。
【００７４】
図１２〜図１６は、商品陳列場所確認処理における携帯端末３の動作を示したフローチャートであり、図１７〜図２０は、商品陳列場所確認処理における棚札サーバ２の動作を示したフローチャートである。図１２〜図２０のフローチャートにおいて、点線で示されたＲ１〜Ｒ３は、相互に関連性があることを示している。
【００７５】
まず、商品陳列場所確認処理における携帯端末３の基本動作について説明する。図１２は、商品陳列場所確認処理における携帯端末３の基本動作を示した基本フローチャートである。図１２において、まず、携帯端末３は、図２３で示される「棚札処理メニュー」のいずれかの番号が選択されたか否かをチェックする（Ｓ１）。そこで、携帯端末３において、「棚札処理メニュー」のいずれかの番号が選択されると（Ｓ２）、次に、選択されたメニュー番号がどの番号であるかをチェックする（Ｓ３）。
【００７６】
選択されたメニュー番号が「４」であると（Ｓ４）、登録状態確認処理（１）が選択されているので、この登録状態確認処理（１）を実行する。この登録状態確認処理（１）は、携帯端末３における登録状態確認処理＃１（前半）（Ｓ５）と、携帯端末３における登録状態確認処理＃１（後半）（Ｓ６）とで構成されている。そこで、携帯端末３は、これらの携帯端末３における登録状態確認処理＃１（前半）（Ｓ５）と、携帯端末３における登録状態確認処理＃１（後半）（Ｓ６）とを順に処理して、図１２の基本フローチャートの最初に戻り（Ｓ１）、Ｓ１以降の処理を繰返す。
【００７７】
Ｓ３における、選択されたメニュー番号がどの番号であるかのチェックで、選択されたメニュー番号が「４」ではなく（Ｓ４）、「５」であると（Ｓ７）、登録状態確認処理（２）が選択されているので、この登録状態確認処理（２）を実行する。この登録状態確認処理（２）は、携帯端末３における登録状態確認処理＃２（前半）（Ｓ８）と、携帯端末３における登録状態確認処理＃２（後半）（Ｓ９）とで構成されている。そこで、携帯端末３は、これらの携帯端末における登録状態確認処理＃２（前半）（Ｓ８）と、携帯端末３における登録状態確認処理＃２（後半）（Ｓ９）とを順に処理して、基本フローチャートの最初に戻り（Ｓ１）、Ｓ１以降の処理を繰返す。
【００７８】
Ｓ３における、選択されたメニュー番号がどの番号であるかのチェックで、選択されたメニュー番号が「４」ではなく（Ｓ４）、「５」でもない場合は（Ｓ７）、商品陳列場所確認処理以外の他の処理（Ｓ１０）を行って、基本フローチャートの最初に戻り（Ｓ１）、Ｓ１以降の処理を繰返す。上記の商品陳列場所確認処理以外の他の処理（Ｓ１０）については、商品陳列場所確認処理に関係しないので、説明を省略している。
【００７９】
次に、商品陳列場所確認処理における棚札サーバ２の基本動作について説明する。図１７は、商品陳列場所確認処理における棚札サーバ２の基本動作を示した基本フローチャートである。この棚札サーバ２の基本動作が行われるタイミングは、上記の携帯端末３における登録状態確認処理＃１（前半）（Ｓ５）と、携帯端末３における登録状態確認処理＃１（後半）（Ｓ６）との間、又は、携帯端末３における登録状態確認処理＃２（前半）（Ｓ８）と、携帯端末３における登録状態確認処理＃２（後半）（Ｓ９）との間である。
【００８０】
また、後述する説明からわかるとおり、携帯端末３における登録状態確認処理＃１（前半）（Ｓ５）、又は、携帯端末３における登録状態確認処理＃１（前半）（Ｓ５）で、携帯端末３は、棚札ＩＤ、又は、商品ＩＤと、携帯端末３で選択されたメニュー番号とをデータとして、棚札サーバ２へ送信する。
【００８１】
そこで、棚札サーバ２は、図１７において、まず、携帯端末３からのデータの受信の有無をチェックする（Ｓ５１）。そして、携帯端末３からのデータの受信があると（Ｓ５２）、次に、受信したメニュー番号をチェックする（Ｓ５３）。受信したメニュー番号が「４」であれば（Ｓ５４）、棚札サーバ２が処理すべき内容は、登録状態確認処理（１）であるので、棚札サーバ２における登録状態確認処理＃１の処理（Ｓ５５）をして、図１７の基本フローチャートの最初に戻り（Ｓ５１）、Ｓ５１以降の処理を繰返す。
【００８２】
Ｓ５３における、受信したメニュー番号のチェックにおいて、受信したメニュー番号が「４」ではなく（Ｓ５４）、「５」であれば（Ｓ５６）、棚札サーバ２が処理すべき内容は、登録状態確認処理（２）であるので、棚札サーバ２における登録状態確認処理＃２の処理（Ｓ５７）をして、図１７の基本フローチャートの最初に戻り（Ｓ５１）、Ｓ５１以降の処理を繰返す。
【００８３】
Ｓ５３における、受信したメニュー番号のチェックにおいて、受信したメニュー番号が「４」ではなく（Ｓ５４）、「５」でもない場合は（Ｓ５６）、商品陳列場所確認処理以外の他の処理（Ｓ５８）を行って、基本フローチャートの最初に戻り（Ｓ５１）、Ｓ５１以降の処理を繰返す。上記の商品陳列場所確認処理以外の他の処理（Ｓ５８）については、商品陳列場所確認処理に関係しないので、説明を省略している。
【００８４】
次に、携帯端末３の「棚札処理メニュー」において、メニュー番号「４」の登録状態確認処理（１）が選択された場合の携帯端末３、及び、棚札サーバ２の動作について、順を追って説明する。この場合は、最初に、携帯端末３における登録状態確認処理＃１（前半）（Ｓ５）が行われた後、棚札サーバ２における登録状態確認処理＃１（Ｓ５５）が行われ、その後、携帯端末３における登録状態確認処理＃１（後半）（Ｓ６）が行われる。
【００８５】
そこで、まず、携帯端末３における登録状態確認処理＃１（前半）（Ｓ５）の動作について説明する。図１３は、携帯端末における登録状態確認処理＃１（前半）（Ｓ５）の動作を示したフローチャートである。又、図２４は、携帯端末３において、メニュー番号が「４」選択された後における携帯端末３のＬＣＤ表示部３４ａの表示を示した表示画面図である。登録状態確認処理（１）は、上述したように、特定の商品陳列場所において、この商品陳列場所に陳列されている商品と同じ商品の陳列場所を、特定の商品陳列場所に設置されている電子棚札１の棚札ＩＤを基にして調べようとする処理である。そこで、棚札ＩＤの読取を促すため、図２４の表示画面図では、「棚札ＩＤ読取」が表示される。
【００８６】
尚、図２４において、携帯端末３のタッチパネル部３４ｂにおける「終了」と表示されたタッチパネルスイッチは、図２３に示すメニュー画面に戻る場合に用いられ、このタッチパネルスイッチに触れることで、図２３のメニュー画面に戻ることができる。又、図２４において、「ＣＬ」と表示されたタッチパネルスイッチは、携帯端末３のテンキー３５ａによる入力や、バーコードリーダ部３６によるバーコードの読取により携帯端末３に入力されたデータを、クリアする場合に用いられる。後述の説明に用いられる各表示画面図に使用されているこれらの「終了」や「ＣＬ」と表示されたタッチパネルスイッチは、上記と同様に機能する。
【００８７】
図１３に示す、携帯端末３における登録状態確認処理＃１（前半）（Ｓ５）のフローチャートにおいて、携帯端末３は、まず、棚札ＩＤの携帯端末３への入力が完了したか否かをチェックする（Ｓ１１）。この棚札ＩＤの携帯端末３への入力には、上述したように、携帯端末３のバーコードリーダ部３６が用いられる。即ち、携帯端末３の筐体の最上部に備えられているレーザ受発光部３６ａから発信されるレーザ光が、電子棚札１が備える棚札ＩＤバーコード１６に照射され、反射されるレーザ光がレーザ受発光部３６ａで受光されることにより、棚札ＩＤバーコード１６の読取が行われて、棚札ＩＤが入力される。
【００８８】
Ｓ１１における、棚札ＩＤの携帯端末３への入力が完了したか否かのチェックで、棚札ＩＤの入力が完了すると（Ｓ１２）、携帯端末３は、入力された棚札ＩＤを、携帯端末３のＬＣＤ表示部３４ａに表示する（Ｓ１３）。例えば、棚札ＩＤが９０００である場合、携帯端末３のＬＣＤ表示部３４ａには、図２５に示すように、読取られた棚札ＩＤが表示される。
【００８９】
棚札ＩＤが携帯端末３のＬＣＤ表示部３４ａに表示されると（Ｓ１３）、携帯端末３は、選択された上記のメニュー番号「４」と、入力された棚札ＩＤとを、棚札サーバ２へ送信して（Ｓ１４）、携帯端末３における登録状態確認処理＃１（前半）（Ｓ５）の処理を終了する。
【００９０】
次に、棚札サーバ２における登録状態確認処理＃１（Ｓ５５）について説明する。図１８、及び、図１９は、この棚札サーバ２における登録状態確認処理＃１（Ｓ５５）の動作を示したフローチャートである。図１８、及び、図１９において、棚札サーバ２は、まず、受信した棚札ＩＤが含まれる商品登録情報を、棚札サーバ２が備えている商品登録情報の中から抽出する動作を行う（Ｓ６１）。そして、次に、受信した棚札ＩＤが含まれるこの商品登録情報の抽出ができたか否かをチェックし（Ｓ６２）、抽出ができなかった場合は、棚札サーバ２が備えている商品登録情報の中に、携帯端末３から送られてきた棚札ＩＤが含まれておらず、この棚札ＩＤが棚札サーバ２に登録されていないので、「棚札ＩＤ未登録」を携帯端末３へ送信して（Ｓ６３）、棚札サーバ２における登録状態確認処理＃１（Ｓ５５）を終了する。
【００９１】
Ｓ６２における受信した棚札ＩＤが含まれる商品登録情報の抽出ができたか否かのチェックで、商品登録情報の抽出ができた場合は、棚札サーバ２が備えている商品登録情報の中に、携帯端末３から受信された棚札ＩＤが登録されている。そこで、この棚札ＩＤを備えた電子棚札１により商品情報が表示され、且つ、この電子棚札１と共に陳列されている商品に関する携帯端末３への表示用のデータを取得するため、Ｓ６４へ進む。
【００９２】
Ｓ６４では、Ｓ６１で抽出された商品登録情報に含まれる、商品ＩＤ、部門ＩＤ、商品情報、元先区分、及び、陳列場所ＩＤで、主データを形成する。そして、次に、このような構成で形成された主データに、追加データとして「棚＝自」を追加する（Ｓ６５）。
【００９３】
図２１（ａ）は、この場合における、即ち、棚札サーバ２における登録状態確認処理＃１における主データの最終的な構成を示した構成図である。この主データを構成する商品情報には、図７に示すように、商品名、通常価格、及び特別価格が含まれる。又、この主データは、棚札サーバ２が受信した当該棚札ＩＤを棚札サーバ２へ送信した携帯端末３に、当該棚札ＩＤに関連するデータを表示させるために、この表示に必要な当該棚札ＩＤに関連するデータを集めて構成されたものである。尚、「棚＝自」に関しては後述する。
【００９４】
上記の主データの形成が終了すると、次に、Ｓ６６へ進む。Ｓ６６では、受信された棚札ＩＤを備える電子棚札１と共に陳列されている商品と同じ商品が、ほかにも、他の場所に陳列されていないかチェックする動作を行う。即ち、Ｓ６６では、Ｓ６１で抽出された商品登録情報に含まれる商品ＩＤの商品がほかにも陳列されていないかチェックするために、Ｓ６１で抽出された商品登録情報に含まれる商品ＩＤと同じ商品ＩＤが含まれる商品登録情報を、Ｓ６１で抽出された以外の商品登録情報の中から抽出する動作を行う。
【００９５】
そして、次に、上記の商品ＩＤが含まれるこの商品登録情報の抽出ができたか否かをチェックし（Ｓ６７）、抽出ができなかった場合は、受信された棚札ＩＤを備える電子棚札１と共に陳列されている商品と同じ商品が、ほかには陳列されていないので、形成済みである上記の１個の主データのみを、携帯端末３へ送信して（Ｓ６８）、棚札サーバ２における登録状態確認処理＃１（Ｓ５５）を終了する。
【００９６】
Ｓ６７における上記の商品ＩＤを含む商品登録情報の抽出ができたか否かのチェックで、棚札ＩＤの抽出ができた場合は、受信された棚札ＩＤを備える電子棚札１と共に陳列されている商品と同じ商品が、ほかにも、他の場所に陳列されている。そこで、この陳列場所に関する携帯端末３への表示用のデータを取得するため、Ｓ６９へ進む。
【００９７】
Ｓ６９では、Ｓ６６で抽出された中の１つの商品登録情報に含まれる元先区分、及び、陳列場所ＩＤで、副データを構成してＳ７０へ進む。図２１（ｂ）は、この場合における、即ち、棚札サーバ２における登録状態確認処理＃１における副データの構成を示した構成図である。この副データは、棚札サーバ２が受信した棚札ＩＤを備える電子棚札１と共に陳列されている商品ついて、この商品と同じ商品が陳列されている他の陳列場所に関するデータの内、携帯端末３に表示するのに必要なデータを集めて構成されたものである。
【００９８】
Ｓ７０以降では、受信された棚札ＩＤを備える電子棚札１と共に陳列されている商品と同じ商品が、さらに、ほかにも、他の場所に陳列されていないかチェックする動作を行う。即ち、Ｓ７０では、Ｓ６６で抽出された商品登録情報が複数個であるか否かをチェックする。
【００９９】
Ｓ７０における、Ｓ６６で抽出された商品登録情報が複数個であるか否かのチェックで、Ｓ６６で抽出された商品登録情報が複数個でない場合は（Ｓ７１）、受信された棚札ＩＤを備える電子棚札１と共に陳列されている商品と同じ商品は、ほかにはもう陳列されていないことが分かる。そこで、形成済みである上記の１個の主データ、及び、上記の１個の副データを、携帯端末３へ送信して（Ｓ７５）、棚札サーバ２における登録状態確認処理＃１（Ｓ５５）を終了する。
【０１００】
Ｓ６６で抽出された商品登録情報が複数個である場合は（Ｓ７１）、受信された棚札ＩＤを備える電子棚札１と共に陳列されている商品と同じ商品が、ほかにも陳列されているので、Ｓ７２へ進む。Ｓ７２では、Ｓ６６で抽出された他の商品登録情報の１つに含まれる元先区分、及び、陳列場所ＩＤで、副データを構成してＳ７３へ進む。ここで形成される副データの構成も、上記の、副データと全く同じであり、図２１（ｂ）で示される構成である。
【０１０１】
Ｓ７３では、Ｓ６６で抽出された全ての商品登録情報に対する副データの形成が完了しているか否かをチックし、全て完了していなければ（Ｓ７４）、Ｓ７２へ戻って、残りの副データの形成を行う。Ｓ７３における、Ｓ６６で抽出された全ての商品登録情報に対する副データの形成が完了しているか否かのチックで、全て完了していれば（Ｓ７４）、形成済みである上記の１個の主データ、及び、これまでに形成された副データを全て、携帯端末３へ送信して（Ｓ７５）、棚札サーバ２における登録状態確認処理＃１（Ｓ５５）を終了する。
【０１０２】
次に、携帯端末３における登録状態確認処理＃１（後半）（Ｓ６）について説明する。図１４は、この携帯端末３における登録状態確認処理＃１（後半）（Ｓ６）の動作を示したフローチャートである。図１４において、携帯端末３は、まず、棚札サーバ２からのデータの受信の有無をチェックする（Ｓ２１）。
【０１０３】
棚札サーバ２からのデータの受信があると（Ｓ２２）、受信データが「棚札ＩＤ未登録」であるか否かをチェックし（Ｓ２３）、受信データが「棚札ＩＤ未登録」である場合は（Ｓ２４）、「棚札ＩＤ未登録」を、携帯端末３のＬＣＤ表示部３４ａに表示して（Ｓ２５）、携帯端末３における登録状態確認処理＃１（後半）（Ｓ６）を終了する。
【０１０４】
図２６は、この場合における、即ち、登録状態確認処理（１）における商品陳列場所確認処理の結果が、「棚札ＩＤ未登録」であった場合に、この「棚札ＩＤ未登録」が、携帯端末３のＬＣＤ表示部３４ａに表示されている状態を示したものである。図２６では、携帯端末３が、この携帯端末３のバーコードリーダ部３６で読取った棚札ＩＤが９０００であり、この棚札ＩＤが棚札サーバ２の商品登録情報に登録されていないことを示している。
【０１０５】
Ｓ２３における、受信データが「棚札ＩＤ未登録」であるか否かのチェックで、「棚札ＩＤ未登録」でなければ（Ｓ２４）、次に、受信した主データを、携帯端末３のＬＣＤ表示部３４ａに表示する（Ｓ２６）。そして、次に、受信したデータに副データが含まれるか否かをチェックし（Ｓ２７）、含まれていなければ（Ｓ２８）、そのまま、携帯端末３における登録状態確認処理＃１（後半）（Ｓ６）を終了する。この場合は、主データのみが、携帯端末３のＬＣＤ表示部３４ａに表示される。
【０１０６】
Ｓ２７における、受信したデータに副データが含まれるか否かのチェックで、副データが含まれていると（Ｓ２８）、上記の主データのほか、受信した副データを、携帯端末３のＬＣＤ表示部３４ａに表示して（Ｓ２９）、携帯端末３における登録状態確認処理＃１（後半）（Ｓ６）を終了する。この場合は、主データ、及び、副データが、携帯端末３のＬＣＤ表示部３４ａに表示される。尚、携帯端末３のＬＣＤ表示部３４ａにおける表示は、同一商品の全ての陳列場所に対する陳列場所ＩＤが、一覧表示されるように表示する。
【０１０７】
図２７は、図８（ａ）に示す陳列場所Ａにおいて、電子棚札１の棚札ＩＤを携帯端末３のバーコードリーダ部３６で読取った場合、即ち、携帯端末３が棚札ＩＤとして、０１１０を読取った場合における、携帯端末３のＬＣＤ表示部３４ａの表示を示したものである。この場合、図８（ａ）からわかるように、商品ＩＤは２５３４、元先区分は先売場、そして、陳列場所ＩＤは、０４、である。又、当該電子棚札１の棚札ＩＤに関する商品登録情報は、図９（ａ）に示すような構成である。
【０１０８】
そこで、当該電子棚札１の棚札ＩＤに関する商品登録情報から、必要なデータを抽出して構成される図２１（ａ）で示される構成の主データは、商品ＩＤ：２５３４、部門コード：３１２、商品情報、元先区分：先売場、陳列場所ＩＤ：０４、及び、棚＝自、で構成される。この内、棚＝自は、この棚＝自が含まれている主データが、当該電子棚札１、即ち、棚札ＩＤが０１１０の電子棚札１に関するものであることを表している。そして、この主データの内容が、携帯端末３のＬＣＤ表示部３４ａに表示される。
【０１０９】
すると、上記の棚＝自により、図２７に示すように、棚札ＩＤ：０１１０を表示している携帯端末３のＬＣＤ表示部３４ａに表示される表示において、陳列場所ＩＤ：０４が、当該電子棚札１が設置されている場所であることを示すため、この陳列場所ＩＤが０４の欄と対応している棚の欄に、自が表示される。
【０１１０】
又、商品ＩＤが２５３４の商品は、図８（ｂ）に示す陳列場所Ｂ、及び、図８（ｃ）に示す陳列場所Ｃにも陳列されているので、これらの陳列場所に関する２個の副データが、図９（ｂ）、及び、図９（ｃ）に示される商品登録情報から、必要なデータを抽出して形成される。これらの２個の副データは、それぞれ、元先区分：先売場、陳列場所ＩＤ：０６と、元先区分：元売場、陳列場所ＩＤ：１２３とであり、これらの副データの内容が、携帯端末３のＬＣＤ表示部３４ａに表示される。この結果、携帯端末３のＬＣＤ表示部３４ａにおける表示は、図２７のようになる。図２７から分かるとおり、携帯端末３には、同一商品の全ての陳列場所に対する陳列場所ＩＤが、一覧表示されている。
【０１１１】
又、図２８は、図８（ｃ）に示す陳列場所Ｃにおいて、電子棚札１の棚札ＩＤを携帯端末３のバーコードリーダ部３６で読取った場合、即ち、携帯端末３が棚札ＩＤとして、０１３０を読取った場合における、携帯端末３のＬＣＤ表示部３４ａの表示を示したものである。この場合、図８（ｃ）からわかるように、商品ＩＤは２５３４、元先区分は元売場、そして、陳列場所ＩＤは、１２３、である。又、当該電子棚札１の棚札ＩＤに関する商品登録情報は、図９（ｃ）に示すような構成である。
【０１１２】
そこで、当該電子棚札１の棚札ＩＤに関する商品登録情報から、必要なデータを抽出して構成される図２１（ａ）で示される構成の主データは、商品ＩＤ：２５３４、部門コード：３１２、商品情報、元先区分：元売場、陳列場所ＩＤ：１２３、及び、棚＝自、で構成される。この内、棚＝自は、上述したように、この棚＝自が含まれている主データが、当該電子棚札１、即ち、棚札ＩＤが０１３０の電子棚札１に関するものであることを表している。そして、この主データの内容が、携帯端末３のＬＣＤ表示部３４ａに表示される。
【０１１３】
すると、上記の棚＝自により、図２８に示すように、棚札ＩＤ：０１３０を表示している携帯端末３のＬＣＤ表示部３４ａに表示される表示において、陳列場所ＩＤ：１２３が、当該電子棚札１が設置されている場所であることを示すため、この陳列場所ＩＤが１２３の欄と対応している棚の欄に、自が表示される。
【０１１４】
又、商品ＩＤが２５３４の商品は、図８（ａ）に示す陳列場所Ａ、及び、図８（ｂ）に示す陳列場所Ｂにも陳列されているので、これらの陳列場所に関する２個の副データが形成される。これらの２個の副データは、それぞれ、元先区分：先売場、陳列場所ＩＤ：０４と、元先区分：先売場、陳列場所ＩＤ：０６とであり、これらの副データの内容が、携帯端末３のＬＣＤ表示部３４ａに表示される。この結果、携帯端末３のＬＣＤ表示部３４ａにおける表示は、図２８のようになる。図２８から分かるとおり、携帯端末３には、同一商品の全ての陳列場所に対する陳列場所ＩＤが、一覧表示されている。
【０１１５】
次に、携帯端末３の「棚札処理メニュー」において、メニュー番号「５」の登録状態確認処理（２）が選択された場合の携帯端末３、及び、棚札サーバ２の動作について、順を追って説明する。この場合は、最初に、携帯端末３における登録状態確認処理＃２（前半）（Ｓ８）が行われた後、棚札サーバ２における登録状態確認処理＃２（Ｓ５７）が行われ、その後、携帯端末３における登録状態確認処理＃２（後半）（Ｓ９）が行われる。
【０１１６】
そこで、まず、携帯端末３における登録状態確認処理＃２（前半）（Ｓ８）の動作について説明する。図１５は、携帯端末３における登録状態確認処理＃２（前半）（Ｓ８）の動作を示したフローチャートである。又、図２９は、携帯端末３において、メニュー番号が「５」選択された後における携帯端末３のＬＣＤ表示部３４ａの表示を示した表示画面図である。メニュー番号「５」の登録状態確認処理（２）は、上述したように、特定の商品陳列場所において、この商品陳列場所に陳列されている商品と同じ商品の陳列場所を、この商品の商品ＩＤを基にして、調べようとする処理である。そこで、商品ＩＤの読取を促すため、図２９の表示画面図では、「商品ＩＤ読取」が表示される。
【０１１７】
図１５に示す携帯端末３における登録状態確認処理＃２（前半）（Ｓ８）のフローチャートにおいて、携帯端末３は、まず、商品ＩＤの携帯端末３への入力が完了したか否かをチェックする（Ｓ３１）。この商品ＩＤの携帯端末３への入力には、上述したように、携帯端末３のバーコードリーダ部３６が用いられる。即ち、即ち、携帯端末３の筐体の最上部に備えられているレーザ受発光部３６ａから発信されるレーザ光が、商品に備えられた商品ＩＤバーコードに照射され、反射されるレーザ光がレーザ受発光部３６ａで受光されることにより、商品ＩＤバーコードの読取が行われて、商品ＩＤが入力される。尚、携帯端末３が読取る商品ＩＤバーコードは、商品に備えられた商品ＩＤバーコード以外に、シートに印刷されたバーコード一覧表の商品ＩＤバーコードであってもよい。
【０１１８】
Ｓ３１における、商品ＩＤの携帯端末３への入力が完了したか否かのチェックで、商品ＩＤの入力が完了すると（Ｓ３２）、携帯端末３は、入力された商品ＩＤを、携帯端末３のＬＣＤ表示部３４ａに表示する。例えば、商品ＩＤが５０００である場合、携帯端末３のＬＣＤ表示部３４ａには、図３０に示すように、読取られた商品ＩＤが表示される。
【０１１９】
携帯端末３は、商品ＩＤを携帯端末３のＬＣＤ表示部３４ａに表示した後（Ｓ３３）、選択された上記のメニュー番号「５」と、入力された商品ＩＤとを、棚札サーバ２へ送信して（Ｓ３４）、携帯端末３における登録状態確認処理＃２（前半）（Ｓ８）の処理を終了する。
【０１２０】
次に、棚札サーバ２における登録状態確認処理＃２（Ｓ５７）について説明する。図２０は、この棚札サーバ２における登録状態確認処理＃２（Ｓ５７）の動作を示したフローチャートである。図２０において、棚札サーバ２は、まず、受信した商品ＩＤが含まれる商品登録情報を、棚札サーバ２が備えている商品登録情報の中から抽出する動作を行う（Ｓ８１）。そして、次に、受信した商品ＩＤが含まれるこの商品登録情報の抽出ができたか否かをチェックし（Ｓ８２）、抽出ができなかった場合は、棚札サーバ２が備えている商品登録情報の中に、携帯端末３から送られてきた商品ＩＤが含まれておらず、この商品ＩＤが棚札サーバ２に登録されていないので、「商品ＩＤ未登録」を携帯端末３へ送信して（Ｓ８３）、棚札サーバ２における登録状態確認処理＃２（Ｓ５７）を終了する。
【０１２１】
Ｓ８２における受信した商品ＩＤが含まれる商品登録情報の抽出ができたか否かのチェックで、商品登録情報の抽出ができた場合は、棚札サーバ２が備えている商品登録情報の中に、携帯端末３から受信された商品ＩＤが登録されている。そこで、この商品ＩＤを備えた電子棚札１により商品情報が表示され、且つ、この電子棚札１と共に陳列されている商品に関する携帯端末３への表示用のデータを取得するため、Ｓ８４へ進む。
【０１２２】
Ｓ８４では、Ｓ８１で抽出された商品登録情報に含まれる、部門ＩＤ、商品情報、元先区分、及び、陳列場所ＩＤで、主データを形成する。図２２（ａ）は、この場合における、即ち、棚札サーバ２における登録状態確認処理＃２でのこの主データの構成を示した構成図である。
この主データを構成する商品情報には、図７に示すように、商品名、通常価格、及び特別価格が含まれる。又、この主データは、棚札サーバ２が受信した当該商品ＩＤを棚札サーバ２へ送信した携帯端末３に、当該商品ＩＤに関連するデータを表示させるために、この表示に必要な当該商品ＩＤに関連するデータを集めて構成されたものである。
【０１２３】
上記の主データの形成が終了すると、次に、Ｓ８５へ進む。Ｓ８５以降では、受信された商品ＩＤを備える商品と同じ商品が、さらに、ほかにも、他の場所に陳列されていないかチェックする動作を行う。即ち、Ｓ８５では、Ｓ８１で抽出された商品登録情報が複数個であるか否かをチェックする。
【０１２４】
Ｓ８５における、Ｓ８１で抽出された商品登録情報が複数個であるか否かのチェックで、Ｓ８１で抽出された商品登録情報が複数個でない場合は（Ｓ８６）、受信された商品ＩＤを備える商品と同じ商品が、ほかにはもう陳列されていないので、形成済みである上記の１個の主データを、携帯端末３へ送信して（Ｓ８７）、棚札サーバ２における登録状態確認処理＃２（Ｓ５７）を終了する。
【０１２５】
Ｓ８５における、Ｓ８１で抽出された商品登録情報が複数個であるか否かのチェックで、Ｓ８１で抽出された商品登録情報が複数個である場合は（Ｓ８６）、受信された商品ＩＤを備える商品と同じ商品が、ほかにも陳列されているので、Ｓ８８へ進む。Ｓ８８では、Ｓ８１で抽出された他の商品登録情報の１つに含まれる元先区分、及び、陳列場所ＩＤで、副データを構成してＳ８９へ進む。図２２（ｂ）は、この場合における、即ち、棚札サーバ２における登録状態確認処理＃２でのこの副データの構成を示した構成図である。この副データの構成は、上述した棚札サーバ２における登録状態確認処理＃１での副データの構成と同じである。
【０１２６】
Ｓ８９では、Ｓ８１で抽出された全ての商品登録情報に対する副データの形成が完了しているか否かをチックし（Ｓ９０）、全て完了していなければ、Ｓ８８へ戻って、残りの副データの形成を行う。Ｓ８９における、Ｓ８１で抽出された全ての商品登録情報に対する副データの形成が完了しているか否かのチックで、全て完了していれば（Ｓ９０）、形成済みである上記の１個の主データ、及び、これまでに形成された副データを全て、携帯端末３へ送信して（Ｓ９１）、棚札サーバ２における登録状態確認処理＃２（Ｓ５７）を終了する。
【０１２７】
次に、携帯端末３における登録状態確認処理＃２（後半）（Ｓ９）について説明する。図１６は、この携帯端末３における登録状態確認処理＃２（後半）（Ｓ９）の動作を示したフローチャートである。図１６において、携帯端末３は、まず、棚札サーバ２からのデータの受信の有無をチェックする（Ｓ４１）。
【０１２８】
棚札サーバ２からのデータの受信があると（Ｓ４２）、受信データが「商品ＩＤ未登録」であるか否かをチェックし（Ｓ４３）、受信データが「商品ＩＤ未登録」である場合は（Ｓ４４）、「商品ＩＤ未登録」を、携帯端末３のＬＣＤ表示部３４ａに表示して（Ｓ４５）、携帯端末３における登録状態確認処理＃２（後半）（Ｓ９）を終了する。
【０１２９】
図３１は、この場合における、即ち、登録状態確認処理（２）における商品陳列場所確認処理の結果が、「商品ＩＤ未登録」であった場合に、この「商品ＩＤ未登録」が、携帯端末３のＬＣＤ表示部３４ａに表示されている状態を示したものである。図３１では、携帯端末３が、この携帯端末３のバーコードリーダ部３６で読取った商品ＩＤが５０００であり、この商品ＩＤが棚札サーバ２の商品登録情報に登録されていないことを示している。
【０１３０】
Ｓ４３における、受信データが「商品ＩＤ未登録」であるか否かのチェックで、「商品ＩＤ未登録」ではなければ（Ｓ４４）、次に、受信した主データを、携帯端末３のＬＣＤ表示部３４ａに表示する（Ｓ４６）。そして、次に、受信したデータに副データが含まれるか否かをチェックし（Ｓ４７）、含まれていなければ（Ｓ４８）、そのまま、携帯端末３における登録状態確認処理＃２（後半）（Ｓ９）を終了する。この場合は、主データのみが、携帯端末３のＬＣＤ表示部３４ａに表示される。
【０１３１】
Ｓ４７における、受信したデータに副データが含まれるか否かのチェックで、副データが含まれていると（Ｓ４８）、受信した副データを、携帯端末３のＬＣＤ表示部３４ａに表示して（Ｓ４９）、携帯端末３における登録状態確認処理＃２（後半）（Ｓ９）を終了する。この場合は、主データ、及び、副データが、携帯端末３のＬＣＤ表示部３４ａに表示される。尚、携帯端末３のＬＣＤ表示部３４ａにおける表示は、同一商品の全ての陳列場所に対する陳列場所ＩＤが、一覧表示されるように表示する。
【０１３２】
図３２は、図８（ａ）に示す陳列場所Ａにおいて、商品ＩＤを携帯端末３のバーコードリーダ部３６で読取った場合、即ち、携帯端末３が商品ＩＤとして、２５３４を読取った場合における、携帯端末３のＬＣＤ表示部３４ａの表示を示したものである。この場合、図８（ａ）からわかるように、元先区分は先売場、そして、陳列場所ＩＤは、０４、である。又、当該電子棚札１の棚札ＩＤに関する商品登録情報は、図９（ａ）に示すような構成である。
【０１３３】
そこで、当該電子棚札１の棚札ＩＤに関する商品登録情報から、必要なデータを抽出して構成される図２２（ａ）で示される構成の主データは、部門コード：３１２、商品情報、元先区分：先売場、陳列場所ＩＤ：０４、で構成される。そして、この主データの内容が、携帯端末３のＬＣＤ表示部３４ａに表示される。
【０１３４】
又、商品ＩＤが２５３４の商品は、図８（ｂ）に示す陳列場所Ｂ、及び、図８（ｃ）に示す陳列場所Ｃにも陳列されているので、これらの陳列場所に関する２個の副データが、図９（ｂ）、及び、図９（ｃ）に示される商品登録情報から、必要なデータを抽出して形成される。これらの２個の副データは、それぞれ、元先区分：先売場、陳列場所ＩＤ：０６と、元先区分：元売場、陳列場所ＩＤ：１２３とであり、これらの副データの内容が、携帯端末３のＬＣＤ表示部３４ａに表示される。この結果、携帯端末３のＬＣＤ表示部３４ａにおける表示は、図３２のようになる。図３２から分かるとおり、携帯端末３には、同一商品の全ての陳列場所に対する陳列場所ＩＤが、一覧表示されている。
【０１３５】
上記の電子棚札システムによれば、携帯端末３に商品ＩＤ、又は、棚札ＩＤを入力することにより、スーパーマーケットや小売店等の店舗内の異なる場所に分散して陳列されている同一商品ＩＤの商品に対する全ての陳列場所を、携帯端末３で表示することができる。そのため、同一商品が陳列されている複数の場所の把握を、容易に行うことができる。
【０１３６】
又、上記の電子棚札システムのように、同一の商品が存在している複数の各陳列場所に対して、元売場／先売場を区別する仕組を導入している場合には、商品登録情報に元売場／先売場の区別を含むようにすることで、この元売場／先売場の区別を、陳列場所ＩＤと共に、携帯端末に表示することができる。そのため、同一商品が陳列されている複数の場所の把握を、元売場／先売場の区別も含めて、容易に行うことができる。
【０１３７】
又、上記の電子棚札システムによれば、携帯端末３は、全ての陳列場所ＩＤを、一覧可能に表示することができる。従って、店舗内の異なる場所に分散して陳列されている同一商品の全ての陳列場所の陳列場所ＩＤを、携帯端末３で一覧表示することができる。そのため、同一商品が陳列されている複数の場所を一瞬にして知ることができ、同一商品が陳列されている複数の場所の把握を、さらに容易に行うことができる。
【０１３８】
又、上記の電子棚札システムによれば、携帯端末３に、棚札ＩＤ、或いは、商品ＩＤを読取ることができるバーコードリーダ部３６が備えられているので、棚札ＩＤや商品ＩＤの携帯端末３への読取を容易にすることができ、同一商品が陳列されている複数の場所の把握を、よりいっそう、容易に行うことができる。
【０１３９】
尚、上述した実施の形態１における電子棚札システムでは、棚札ＩＤ、及び、商品ＩＤは、いずれも４桁であるが、これは説明の便宜上４桁としたもので、実際に、スーパーマーケットや小売店等の店舗で陳列される商品の種類は多数存在していることから、一般的には、棚札ＩＤ、及び、商品ＩＤのいずれも、ＩＤを構成する桁数は相当多くなる。
【０１４０】
又、上記の電子棚札システムでは、携帯端末３に、棚札ＩＤ、或いは、商品ＩＤを入力するのに、携帯端末３に備えられたバーコードリーダ部３６を用いている。しかし、これには限られず、例えば、携帯端末３に備えられた操作部３５のテンキー３５ａを用いて入力する等、携帯端末３に、棚札ＩＤ、或いは、商品ＩＤを入力することができる方法であれば、いかなる方法を用いてもよい。
【０１４１】
又、上記の電子棚札システムでは、携帯端末３で陳列場所ＩＤを表示する際には、商品ＩＤも表示されるが、この商品ＩＤに代えて、商品登録情報を構成する商品情報に通常含まれる商品名を表示するようにしてもよい。この場合は、棚札サーバ２が商品登録情報を検索する際に、商品ＩＤと対応する商品情報に含まれる商品名を抽出すると共に、抽出した商品名を、携帯端末３へ送信することで、実現することができる。
【０１４２】
＜実施の形態２＞
次に、実施の形態２における電子棚札システムについて説明する。実施の形態２における電子棚札システムは、実施の形態２における電子棚札システムの構成は、実施の形態１における電子棚札システムの構成と全く同じである。実施の形態２における電子棚札システムが、実施の形態１における電子棚札システムと異なるのは、処理動作の点である。
【０１４３】
実施の形態２における電子棚札システムにおいても、棚札サーバ２のＨＤＤ２３には、電子棚札１で商品の情報を表示するのに必要な商品登録情報が備えられているが、この商品登録情報は、実施の形態１における電子棚札システムと若干異なる。図３３は、この商品登録情報の構成を示したものである。図３３において、この商品登録情報は、図７に示す実施の形態１における商品登録情報と異なり、元先区分を備えていない。又、実施の形態１における陳列場所ＩＤに代わる自場所陳列場所ＩＤのほか、他場所陳列場所ＩＤが追加されている。
【０１４４】
自場所陳列場所ＩＤとは、当該商品登録情報が対応する当該棚札ＩＤを備える電子棚札が存在する陳列場所の陳列場所ＩＤである。又、他場所陳列場所ＩＤとは、当該棚札ＩＤを備えた電子棚札が表示の対象とする商品を、当該棚札ＩＤを備えた電子棚札以外の他の棚札ＩＤを備えた電子棚札と共に陳列される陳列場所の陳列場所ＩＤである。この他場所陳列場所ＩＤは、棚札ＩＤを備えた電子棚札が表示の対象とする商品を、同じく、表示の対象とする棚札ＩＤを備えた電子棚札以外の他の棚札ＩＤを備えた電子棚札が、存在する場合に、商品登録情報に追加される。
【０１４５】
又、実施の形態２における電子棚札システムでは、商品登録情報に元先区分を備えていないので、実施の形態１における電子棚札システムの説明で用いた図８の例は、実施の形態１における電子棚札システムの場合は、図３４に示すようになる。
【０１４６】
又、図３４に示す電子棚札に対する商品登録情報は、図３５のようになり、図３４（ａ）の陳列場所Ａ、図３４（ｂ）の陳列場所Ｂ、及び、図３４（ｃ）の陳列場所Ｃ、は、それぞれ、図３５（ａ）、図３５（ｂ）、及び、図３５（ｃ）のようになる。実施の形態２における電子棚札システムの説明には、これらの図３４、及び、図３５を用いる。
【０１４７】
又、実施の形態２における電子棚札システムにおいても、上記の商品登録情報の形成方法そのものについては、説明を省略すると共に、上記の商品登録情報の形成が終了していることを前提として、商品陳列場所確認処理の説明を行う。
【０１４８】
そこで、次に、上記の電子棚札システムの動作説明として、携帯端末３が行う商品陳列場所確認処理につき、具体的に説明する。この商品陳列場所確認処理は、上述したように、携帯端末３からの指示により行われる。図４３は、この携帯端末３におけるＬＣＤ表示部３４ａのイニシャル画面の表示画面図である。このイニシャル画面では、携帯端末３で指示可能な処理のメニューである「棚札処理メニュー」が表示されている。
【０１４９】
この「棚札処理メニュー」では、メニュー番号「１」から「３」は、図２３に示す実施の形態１における「棚札処理メニュー」と同じである。メニュー番号「４」の登録状態確認処理は、商品陳列場所確認処理である。そして、メニュー番号「５」の「複数箇所陳列情報取消」は、図２３に示す実施の形態１における「棚札処理メニュー」のメニュー番号「６」と同じである。そこで、実施の形態２における電子棚札システムの動作説明としては、メニュー番号「４」の商品陳列場所確認処理についてのみ説明する。
【０１５０】
図３６〜図３８は、上記の商品陳列場所確認処理における携帯端末３の動作を示したフローチャートであり、図３９〜図４１は、商品陳列場所確認処理における棚札サーバ２の動作を示したフローチャートである。図３６〜図４１のフローチャートにおいて、点線で示されたＲ１１、Ｒ１２は、相互に関連性があることを示している。
【０１５１】
まず、商品陳列場所確認処理における携帯端末３の基本動作について説明する。図３６は、商品陳列場所確認処理における携帯端末３の基本動作を示した基本フローチャートである。図３６において、まず、携帯端末３は、図４３で示される「棚札処理メニュー」のいずれかの番号が選択されたか否かをチェックする（Ｓ１０１）。そこで、携帯端末３において、「棚札処理メニュー」のいずれかの番号が選択されると（Ｓ１０２）、次に、選択されたメニュー番号がどの番号であるかをチェックする（Ｓ１０３）。
【０１５２】
選択されたメニュー番号が「４」であると（Ｓ１０４）、登録状態確認処理が選択されているので、この登録状態確認処理を実行する。この登録状態確認処理は、携帯端末３における登録状態確認処理＃３（前半）（Ｓ１０５）と、携帯端末３における登録状態確認処理＃３（後半）（Ｓ１０６）とで構成されている。そこで、携帯端末３は、これらの携帯端末３における登録状態確認処理＃３（前半）（Ｓ１０５）と、携帯端末３における登録状態確認処理＃３（後半）（Ｓ１０６）とを順に処理して、図３６の基本フローチャートの最初に戻り（Ｓ１０１）、Ｓ１０１以降の処理を繰返す。
【０１５３】
Ｓ１０３における、選択されたメニュー番号がどの番号であるかのチェックで、選択されたメニュー番号が「４」ではない場合は（Ｓ１０４）、商品陳列場所確認処理以外の他の処理（Ｓ１１０）を行って、基本フローチャートの最初に戻り（Ｓ１０１）、Ｓ１０１以降の処理を繰返す。上記の商品陳列場所確認処理以外の他の処理（Ｓ１１０）については、商品陳列場所確認処理に関係しないので、説明を省略している。
【０１５４】
次に、商品陳列場所確認処理における棚札サーバ２の基本動作について説明する。図３９は、商品陳列場所確認処理における棚札サーバ２の基本動作を示した基本フローチャートである。この棚札サーバ２の基本動作が行われるタイミングは、上記の携帯端末３における登録状態確認処理＃３（前半）（Ｓ１０５）と、携帯端末３における登録状態確認処理＃３（後半）（Ｓ１０６）との間である。
【０１５５】
又、後述する説明からわかるとおり、携帯端末３における登録状態確認処理＃３（前半）（Ｓ１０５）で、携帯端末３は、棚札ＩＤと、携帯端末３で選択されたメニュー番号とをデータとして、棚札サーバ２へ送信する。
【０１５６】
そこで、棚札サーバ２は、図３９において、まず、携帯端末３からのデータの受信の有無をチェックする（Ｓ１５１）。そして、携帯端末３からのデータの受信があると（Ｓ１５２）、次に、受信したメニュー番号をチェックする（Ｓ１５３）。受信したメニュー番号が「４」であれば（Ｓ１５４）、棚札サーバ２が処理すべき内容は、登録状態確認処理であるので、棚札サーバ２における登録状態確認処理＃３の処理（Ｓ１５５）をして、図３９の基本フローチャートの最初に戻り（Ｓ１５１）、Ｓ１５１以降の処理を繰返す。
【０１５７】
Ｓ１５３における、受信したメニュー番号のチェックにおいて、受信したメニュー番号が「４」ではない場合は（Ｓ１５４）、商品陳列場所確認処理以外の他の処理（Ｓ１５６）を行って、基本フローチャートの最初に戻り（Ｓ１５１）、Ｓ１５１以降の処理を繰返す。上記の商品陳列場所確認処理以外の他の処理（Ｓ１５６）については、商品陳列場所確認処理に関係しないので、説明を省略している。
【０１５８】
次に、携帯端末３の「棚札処理メニュー」において、メニュー番号「４」の登録状態確認処理が選択された場合の携帯端末３、及び、棚札サーバ２の動作について、順を追って説明する。この場合は、最初に、携帯端末３における登録状態確認処理＃３（前半）（Ｓ１０５）が行われた後、棚札サーバ２における登録状態確認処理＃３（Ｓ１５５）が行われ、その後、携帯端末３における登録状態確認処理＃３（後半）（Ｓ１０６）が行われる。
【０１５９】
そこで、まず、携帯端末３における登録状態確認処理＃３（前半）（Ｓ１０５）の動作について説明する。図３７は、携帯端末における登録状態確認処理＃３（前半）（Ｓ１０５）の動作を示したフローチャートである。又、図４４は、携帯端末３において、メニュー番号が「４」選択された後における携帯端末３のＬＣＤ表示部３４ａの表示を示した表示画面図である。登録状態確認処理は、上述したように、特定の商品陳列場所において、この商品陳列場所に陳列されている商品と同じ商品の陳列場所を、特定の商品陳列場所に設置されている電子棚札１の棚札ＩＤを基にして調べようとする処理である。そこで、棚札ＩＤの読取を促すため、図４４の表示画面図では、「棚札ＩＤ読取」が表示される。
【０１６０】
次に、図３７に示す、携帯端末３における登録状態確認処理＃３（前半）（Ｓ１０５）のフローチャートにおいて、携帯端末３は、まず、棚札ＩＤの携帯端末３への入力が完了したか否かをチェックする（Ｓ１１１）。この棚札ＩＤの携帯端末３への入力には、上述したように、携帯端末３のバーコードリーダ部３６が用いられる。
【０１６１】
Ｓ１１１における、棚札ＩＤの携帯端末３への入力が完了したか否かのチェックで、棚札ＩＤの入力が完了すると（Ｓ１１２）、携帯端末３は、入力された棚札ＩＤを、携帯端末３のＬＣＤ表示部３４ａに表示する（Ｓ１１３）。例えば、棚札ＩＤが９０００である場合、携帯端末３のＬＣＤ表示部３４ａには、図４５に示すように、読取られた棚札ＩＤが表示される。
【０１６２】
棚札ＩＤが携帯端末３のＬＣＤ表示部３４ａに表示されると（Ｓ１１３）、携帯端末３は、選択された上記のメニュー番号「４」と、入力された棚札ＩＤとを、棚札サーバ２へ送信して（Ｓ１１４）、携帯端末３における登録状態確認処理＃３（前半）（Ｓ１０５）の処理を終了する。
【０１６３】
次に、棚札サーバ２における登録状態確認処理＃３（Ｓ１５５）について説明する。図４０、及び、図４１は、この棚札サーバ２における登録状態確認処理＃３（Ｓ１５５）の動作を示したフローチャートである。図４０、及び、図４１において、棚札サーバ２は、まず、受信した棚札ＩＤが含まれる商品登録情報を、棚札サーバ２が備えている商品登録情報の中から抽出する動作を行う（Ｓ１６１）。そして、次に、受信した棚札ＩＤが含まれるこの商品登録情報の抽出ができたか否かをチェックし（Ｓ１６２）、抽出ができなかった場合は、棚札サーバ２が備えている商品登録情報の中に、携帯端末３から送られてきた棚札ＩＤが含まれておらず、この棚札ＩＤが棚札サーバ２に登録されていないので、「棚札ＩＤ未登録」を携帯端末３へ送信して（Ｓ１６３）、棚札サーバ２における登録状態確認処理＃３（Ｓ１５５）を終了する。
【０１６４】
Ｓ１６２における受信した棚札ＩＤが含まれる商品登録情報の抽出ができたか否かのチェックで、商品登録情報の抽出ができた場合は、棚札サーバ２が備えている商品登録情報の中に、携帯端末３から受信された棚札ＩＤが登録されている。そこで、この棚札ＩＤを備えた電子棚札１により商品情報が表示され、且つ、この電子棚札１と共に陳列されている商品に関する携帯端末３への表示用のデータを取得するため、Ｓ１６４へ進む。
【０１６５】
Ｓ１６４では、Ｓ１６１で抽出された商品登録情報に含まれる、商品ＩＤ、部門ＩＤ、商品情報、及び、自場所陳列場所ＩＤで、主データを形成する。そして、次に、このような構成で形成された主データに、追加データとして「棚＝自」を追加する（Ｓ１６５）。
【０１６６】
図４２（ａ）は、この場合における、即ち、棚札サーバ２における登録状態確認処理＃３での、主データの最終的な構成を示した構成図である。この主データを構成する商品情報には、図３３に示すように、商品名、通常価格、及び特別価格が含まれる。又、この主データは、棚札サーバ２が受信した当該棚札ＩＤを棚札サーバ２へ送信した携帯端末３に、当該棚札ＩＤに関連するデータを表示させるために、この表示に必要な当該棚札ＩＤに関連するデータを集めて構成されたものである。尚、「棚＝自」に関しては後述する。
【０１６７】
上記の主データの形成が終了すると、次に、Ｓ１６６へ進む。Ｓ１６６では、受信された棚札ＩＤを備える電子棚札１と共に陳列されている商品と同じ商品が、ほかにも、他の場所に陳列されていないかチェックする動作を行う。即ち、Ｓ１６６では、Ｓ１６１で抽出された商品登録情報に、他場所陳列場所ＩＤが含まれているか否かをチェックする。
【０１６８】
そして、他場所陳列場所ＩＤが含まれていない場合は（Ｓ１６７）、受信された棚札ＩＤを備える電子棚札１と共に陳列されている商品と同じ商品が、ほかには陳列されていないので、形成済みである上記の１個の主データのみを、携帯端末３へ送信して（Ｓ１６８）、棚札サーバ２における登録状態確認処理＃３（Ｓ１５５）を終了する。
【０１６９】
Ｓ１６６における、Ｓ１６１で抽出された商品登録情報に、他場所陳列場所ＩＤが含まれているか否かのチェックで、他場所陳列場所ＩＤが含まれていると（Ｓ１６７）、次に、Ｓ１６１で抽出された商品登録情報に含まれる一つの他場所陳列場所ＩＤで、副データを構成して（Ｓ１６９）、Ｓ１７０へ進む。図４２（ｂ）は、この場合における、即ち、棚札サーバ２における登録状態確認処理＃３での副データの構成を示した構成図である。この副データは、棚札サーバ２が受信した棚札ＩＤを備える電子棚札１と共に陳列されている商品ついて、この商品と同じ商品が陳列されている他の陳列場所に関するデータで構成されている。
【０１７０】
Ｓ１７０以降では、受信された棚札ＩＤを備える電子棚札１と共に陳列されている商品と同じ商品が、さらに、ほかにも、他の場所に陳列されていないかチェックする動作を行う。即ち、Ｓ１７０では、Ｓ１６１で抽出された商品登録情報に含まれる他場所陳列場所ＩＤが複数個であるか否かをチェックする。
【０１７１】
Ｓ１７０における、Ｓ１６１で抽出された商品登録情報に含まれる他場所陳列場所ＩＤが複数個であるか否かのチェックで、複数個でない場合は（Ｓ１７１）、受信された棚札ＩＤを備える電子棚札１と共に陳列されている商品と同じ商品は、ほかにはもう陳列されていないことが分かる。そこで、形成済みである上記の１個の主データ、及び、上記の１個の副データを、携帯端末３へ送信して（Ｓ１７５）、棚札サーバ２における登録状態確認処理＃３（Ｓ１５５）を終了する。
【０１７２】
Ｓ１７０における、Ｓ１６１で抽出された商品登録情報に含まれる他場所陳列場所ＩＤが複数個であるか否かのチェックで、複数個である場合は（Ｓ１７１）、受信された棚札ＩＤを備える電子棚札１と共に陳列されている商品と同じ商品が、ほかにも陳列されているので、Ｓ１７２へ進む。Ｓ１７２では、Ｓ１６１で抽出された商品登録情報に含まれる一つの他場所陳列場所ＩＤで、副データを構成してＳ１７３へ進む。ここで形成される副データの構成も、上記の、副データと全く同じであり、図４２（ｂ）で示される構成である。
【０１７３】
Ｓ１７３では、Ｓ１６１で抽出された商品登録情報に含まれる全ての他場所陳列場所ＩＤに対する副データの形成が完了しているか否かをチックし、全て完了していなければ（Ｓ１７４）、Ｓ１７２へ戻って、残りの副データの形成を行う。Ｓ１７３における、Ｓ１６１で抽出された商品登録情報に含まれる全ての他場所陳列場所ＩＤに対する副データの形成が完了しているか否かのチックで、全て完了していれば（Ｓ１７４）、形成済みである上記の１個の主データ、及び、これまでに形成された副データを全て、携帯端末３へ送信して（Ｓ１７５）、棚札サーバ２における登録状態確認処理＃３（Ｓ１５５）を終了する。
【０１７４】
次に、携帯端末３における登録状態確認処理＃３（後半）（Ｓ１０６）について説明する。図３８は、この携帯端末３における登録状態確認処理＃３（後半）（Ｓ１０６）の動作を示したフローチャートである。図３８において、携帯端末３は、まず、棚札サーバ２からのデータの受信の有無をチェックする（Ｓ１２１）。
【０１７５】
棚札サーバ２からのデータの受信があると（Ｓ１２２）、受信データが「棚札ＩＤ未登録」であるか否かをチェックし（Ｓ１２３）、受信データが「棚札ＩＤ未登録」である場合は（Ｓ１２４）、「棚札ＩＤ未登録」を、携帯端末３のＬＣＤ表示部３４ａに表示して（Ｓ１２５）、携帯端末３における登録状態確認処理＃３（後半）（Ｓ１０６）を終了する。
【０１７６】
図４６は、この場合における、即ち、登録状態確認処理における商品陳列場所確認処理の結果が、「棚札ＩＤ未登録」であった場合に、この「棚札ＩＤ未登録」が、携帯端末３のＬＣＤ表示部３４ａに表示されている状態を示したものである。図４６では、携帯端末３が、この携帯端末３のバーコードリーダ部３６で読取った棚札ＩＤが９０００であり、この棚札ＩＤが棚札サーバ２の商品登録情報に登録されていないことを示している。
【０１７７】
Ｓ１２３における、受信データが「棚札ＩＤ未登録」であるか否かのチェックで、「棚札ＩＤ未登録」でなければ（Ｓ１２４）、次に、受信した主データを、携帯端末３のＬＣＤ表示部３４ａに表示する（Ｓ１２６）。そして、次に、受信したデータに副データが含まれるか否かをチェックし（Ｓ１２７）、含まれていなければ（Ｓ１２８）、そのまま、携帯端末３における登録状態確認処理＃３（後半）（Ｓ１０６）を終了する。この場合は、主データのみが、携帯端末３のＬＣＤ表示部３４ａに表示される。
【０１７８】
Ｓ１２７における、受信したデータに副データが含まれるか否かのチェックで、副データが含まれていると（Ｓ１２８）、上記の主データのほか、受信した副データを、携帯端末３のＬＣＤ表示部３４ａに表示して（Ｓ１２９）、携帯端末３における登録状態確認処理＃３（後半）（Ｓ１０６）を終了する。この場合は、主データ、及び、副データが、携帯端末３のＬＣＤ表示部３４ａに表示される。尚、携帯端末３のＬＣＤ表示部３４ａにおける表示は、同一商品の全ての陳列場所に対する陳列場所ＩＤが、一覧表示されるように表示する。
【０１７９】
図４７は、図３４（ａ）に示す陳列場所Ａにおいて、電子棚札１の棚札ＩＤを携帯端末３のバーコードリーダ部３６で読取った場合、即ち、携帯端末３が棚札ＩＤとして、０１１０を読取った場合における、携帯端末３のＬＣＤ表示部３４ａの表示を示したものである。この場合、図３４（ａ）からわかるように、商品ＩＤは２５３４、そして、陳列場所ＩＤ（自場所陳列場所ＩＤ）は、０４、である。又、当該電子棚札１の棚札ＩＤに関する商品登録情報は、図３５（ａ）に示すような構成である。
【０１８０】
そこで、当該電子棚札１の棚札ＩＤに関する図３５（ａ）に示す商品登録情報から、必要なデータを抽出して構成される図４２（ａ）で示される構成の主データは、商品ＩＤ：２５３４、部門コード：３１２、商品情報、自場所陳列場所ＩＤ：０４、及び、棚＝自、で構成される。この内、棚＝自は、この棚＝自が含まれている主データが、当該電子棚札１、即ち、棚札ＩＤが０１１０の電子棚札１に関するものであることを表している。そして、この主データの内容が、携帯端末３のＬＣＤ表示部３４ａに表示される。
【０１８１】
すると、上記の棚＝自により、図４７に示すように、棚札ＩＤ：０１１０を表示している携帯端末３のＬＣＤ表示部３４ａに表示される表示において、陳列場所ＩＤ：０４が、当該電子棚札１が設置されている場所であることを示すため、この陳列場所ＩＤが０４の欄と対応している棚の欄に、自が表示される。
【０１８２】
又、商品ＩＤが２５３４の商品は、図３５（ａ）に示す上記の商品登録情報図に含まれている他場所陳列場所ＩＤ：０６、及び、他場所陳列場所ＩＤ：１２３から、２個の副データが形成される。これらの２個の副データは、それぞれ、陳列場所ＩＤ：０６と、陳列場所ＩＤ：１２３とであり、これらの副データの内容が、携帯端末３のＬＣＤ表示部３４ａに表示される。この結果、携帯端末３のＬＣＤ表示部３４ａにおける表示は、図４７のようになる。図４７から分かるとおり、携帯端末３には、同一商品の全ての陳列場所に対する陳列場所ＩＤが、一覧表示されている。
【０１８３】
又、図４８は、図３４（ｃ）に示す陳列場所Ｃにおいて、電子棚札１の棚札ＩＤを携帯端末３のバーコードリーダ部３６で読取った場合、即ち、携帯端末３が棚札ＩＤとして、０１３０を読取った場合における、携帯端末３のＬＣＤ表示部３４ａの表示を示したものである。この場合、図３４（ｃ）からわかるように、商品ＩＤは２５３４、そして、陳列場所ＩＤは、１２３、である。又、当該電子棚札１の棚札ＩＤに関する商品登録情報は、図３５（ｃ）に示すような構成である。
【０１８４】
そこで、当該電子棚札１の棚札ＩＤに関する商品登録情報から、必要なデータを抽出して構成される図４２（ａ）で示される構成の主データは、商品ＩＤ：２５３４、部門コード：３１２、商品情報、自場所陳列場所ＩＤ：１２３、及び、棚＝自、で構成される。この内、棚＝自は、上述したように、この棚＝自が含まれている主データが、当該電子棚札１、即ち、棚札ＩＤが０１３０の電子棚札１に関するものであることを表している。そして、この主データの内容が、携帯端末３のＬＣＤ表示部３４ａに表示される。
【０１８５】
すると、上記の棚＝自により、図４８に示すように、棚札ＩＤ：０１３０を表示している携帯端末３のＬＣＤ表示部３４ａに表示される表示において、陳列場所ＩＤ：１２３が、当該電子棚札１が設置されている場所であることを示すため、この陳列場所ＩＤが１２３の欄と対応している棚の欄に、自が表示される。
【０１８６】
又、商品ＩＤが２５３４の商品は、図３５（ｃ）に示す上記の商品登録情報図に含まれている他場所陳列場所ＩＤ：０４、及び、他場所陳列場所ＩＤ：０６から、２個の副データが形成される。これらの２個の副データは、それぞれ、陳列場所ＩＤ：０４と、陳列場所ＩＤ：０６とであり、これらの副データの内容が、携帯端末３のＬＣＤ表示部３４ａに表示される。この結果、携帯端末３のＬＣＤ表示部３４ａにおける表示は、図４８のようになる。図４８から分かるとおり、携帯端末３には、同一商品の全ての陳列場所に対する陳列場所ＩＤが、一覧表示されている。
【０１８７】
上記の実施の形態２における電子棚札システムによれば、上述した実施の形態１における電子棚札システムと同様、携帯端末３に棚札ＩＤを入力することにより、この棚札ＩＤを備えた電子棚札１が表示の対象としている商品と同一商品で、店舗内の異なる場所に分散して陳列されている商品に対する陳列場所の陳列場所ＩＤを、携帯端末３で表示することができる。そのため、同一商品が陳列されている複数の場所の把握を、容易に行うことができる。
【０１８８】
尚、上記の実施の形態２における電子棚札システムでは、実施の形態１における電子棚札システムと同様、棚札ＩＤ、及び、商品ＩＤは、いずれも４桁であるが、これは説明の便宜上４桁としたもので、実際に、スーパーマーケットや小売店等の店舗で陳列される商品の種類は多数存在していることから、一般的には、棚札ＩＤ、及び、商品ＩＤのいずれも、ＩＤを構成する桁数は相当多くなる。
【０１８９】
又、上記の実施の形態２における電子棚札システムでは、上述した実施の形態１における電子棚札システムと同様、携帯端末３に、棚札ＩＤを入力するのに、携帯端末３に備えられたバーコードリーダ部３６を用いている。しかし、これには限られず、例えば、携帯端末３に備えられた操作部３５のテンキー３５ａを用いて入力する等、携帯端末３に、棚札ＩＤを入力することができる方法であれば、いかなる方法を用いてもよい。
【０１９０】
又、上記の実施の形態２における電子棚札システムでは、上述した実施の形態１における電子棚札システムと同様、携帯端末３で陳列場所ＩＤを表示する際には、商品ＩＤも表示されるが、この商品ＩＤに代えて、商品登録情報を構成する商品情報に通常含まれる商品名を表示するようにしてもよい。この場合は、棚札サーバ２が商品登録情報を検索する際に、商品ＩＤと対応する商品情報に含まれる商品名を抽出すると共に、抽出した商品名を、携帯端末３へ送信することで、実現することができる。
【図面の簡単な説明】
【０１９１】
【図１】実施の形態１における電子棚札システムの構成を示したブロック図である。
【図２】実施の形態１における電子棚札システムの棚札サーバの構成を示したブロック図である。
【図３】実施の形態１における電子棚札システムの携帯端末の外観図である。
【図４】実施の形態１における電子棚札システムの携帯端末の構成を示したブロック図である。
【図５】実施の形態１における電子棚札システムの電子棚札の外観図である。
【図６】実施の形態１における電子棚札システムの電子棚札の構成を示したブロック図である。
【図７】実施の形態１における電子棚札システムで使用される商品登録情報の構成図である。
【図８】（ａ）、（ｂ）及び（ｃ）は、実施の形態１における電子棚札システムの商品の陳列状況の例を示した説明図である。
【図９】（ａ）、（ｂ）及び（ｃ）は、図８（ａ）、（ｂ）及び（ｃ）にそれぞれ対応した商品登録情報の構成図である。
【図１０】実施の形態１における電子棚札システムの電子棚札の表示の例を示した外観図（その１）である。
【図１１】実施の形態１における電子棚札システムの電子棚札の表示の例を示した外観図（その２）である。
【図１２】実施の形態１における電子棚札システムの携帯端末の動作を示したフローチャート（その１）である。
【図１３】実施の形態１における電子棚札システムの携帯端末の動作を示したフローチャート（その２）である。
【図１４】実施の形態１における電子棚札システムの携帯端末の動作を示したフローチャート（その３）である。
【図１５】実施の形態１における電子棚札システムの携帯端末の動作を示したフローチャート（その４）である。
【図１６】実施の形態１における電子棚札システムの携帯端末の動作を示したフローチャート（その５）である。
【図１７】実施の形態１における電子棚札システムの棚札サーバの動作を示したフローチャート（その１）である。
【図１８】実施の形態１における電子棚札システムの棚札サーバの動作を示したフローチャート（その２）である。
【図１９】実施の形態１における電子棚札システムの棚札サーバの動作を示したフローチャート（その３）である。
【図２０】実施の形態１における電子棚札システムの棚札サーバの動作を示したフローチャート（その４）である。
【図２１】実施の形態１における電子棚札システムの登録状態確認処理（１）における（ａ）は主データの構成図、（ｂ）は副データの構成図である。
【図２２】実施の形態１における電子棚札システムの登録状態確認処理（２）における（ａ）は主データの構成図、（ｂ）は副データの構成図である。
【図２３】実施の形態１における電子棚札システムの携帯端末の表示画面図（その１）である。
【図２４】実施の形態１における電子棚札システムの携帯端末の表示画面図（その２）である。
【図２５】実施の形態１における電子棚札システムの携帯端末の表示画面図（その３）である。
【図２６】実施の形態１における電子棚札システムの携帯端末の表示画面図（その４）である。
【図２７】実施の形態１における電子棚札システムの携帯端末の表示画面図（その５）である。
【図２８】実施の形態１における電子棚札システムの携帯端末の表示画面図（その６）である。
【図２９】実施の形態１における電子棚札システムの携帯端末の表示画面図（その７）である。
【図３０】実施の形態１における電子棚札システムの携帯端末の表示画面図（その８）である。
【図３１】実施の形態１における電子棚札システムの携帯端末の表示画面図（その９）である。
【図３２】実施の形態１における電子棚札システムの携帯端末の表示画面図（その１０）である。
【図３３】実施の形態２における電子棚札システムで使用される商品登録情報の構成図である。
【図３４】（ａ）、（ｂ）及び（ｃ）は、実施の形態２における電子棚札システムの商品の陳列状況の例を示した説明図である。
【図３５】（ａ）、（ｂ）及び（ｃ）は、図３４（ａ）、（ｂ）及び（ｃ）にそれぞれ対応した商品登録情報の構成図である。
【図３６】実施の形態２における電子棚札システムの携帯端末の動作を示したフローチャート（その１）である。
【図３７】実施の形態２における電子棚札システムの携帯端末の動作を示したフローチャート（その２）である。
【図３８】実施の形態２における電子棚札システムの携帯端末の動作を示したフローチャート（その３）である。
【図３９】実施の形態２における電子棚札システムの棚札サーバの動作を示したフローチャート（その１）である。
【図４０】実施の形態２における電子棚札システムの棚札サーバの動作を示したフローチャート（その２）である。
【図４１】実施の形態２における電子棚札システムの棚札サーバの動作を示したフローチャート（その３）である。
【図４２】実施の形態２における電子棚札システムの登録状態確認処理における（ａ）は主データの構成図、（ｂ）は副データの構成図である。
【図４３】実施の形態２における電子棚札システムの携帯端末の表示画面図（その１）である。
【図４４】実施の形態２における電子棚札システムの携帯端末の表示画面図（その２）である。
【図４５】実施の形態２における電子棚札システムの携帯端末の表示画面図（その３）である。
【図４６】実施の形態２における電子棚札システムの携帯端末の表示画面図（その４）である。
【図４７】実施の形態２における電子棚札システムの携帯端末の表示画面図（その５）である。
【図４８】実施の形態２における電子棚札システムの携帯端末の表示画面図（その６）である。
【符号の説明】
【０１９２】
１  電子棚札
２  棚札サーバ
３  携帯端末
１１  ＣＰＵ
１２  メモリ
１３  無線通信部
１３ａ  アンテナ
１４  表示部
１５  制御ライン
１６  棚札ＩＤバーコード
２１  ＣＰＵ
２２  メモリ
２３  ＨＤＤ
２４  無線通信部
２４ａ  アンテナ
２５  表示部
２６  操作部
２７  制御ライン
３１  ＣＰＵ
３２  メモリ
３３  無線通信部
３３ａ  アンテナ
３４  表示部
３４ａ  ＬＣＤ表示部
３４ｂ  タッチパネル部
３５  操作部
３５ａ  テンキー
３５ｂ  カーソルキー
３６  バーコードリーダ部
３６ａ  レーザ受発光部
３７  制御ライン
【図１】
0005019977.tif 000002
【図２】
0005019977.tif 000003
【図３】
0005019977.tif 000004
【図４】
0005019977.tif 000005
【図５】
0005019977.tif 000006
【図６】
0005019977.tif 000007
【図７】
0005019977.tif 000008
【図８】
0005019977.tif 000009
【図９】
0005019977.tif 000010
【図１０】
0005019977.tif 000011
【図１１】
0005019977.tif 000012
【図１２】
0005019977.tif 000013
【図１３】
0005019977.tif 000014
【図１４】
0005019977.tif 000015
【図１５】
0005019977.tif 000016
【図１６】
0005019977.tif 000017
【図１７】
0005019977.tif 000018
【図１８】
0005019977.tif 000019
【図１９】
0005019977.tif 000020
【図２０】
0005019977.tif 000021
【図２１】
0005019977.tif 000022
【図２２】
0005019977.tif 000023
【図２３】
0005019977.tif 000024
【図２４】
0005019977.tif 000025
【図２５】
0005019977.tif 000026
【図２６】
0005019977.tif 000027
【図２７】
0005019977.tif 000028
【図２８】
0005019977.tif 000029
【図２９】
0005019977.tif 000030
【図３０】
0005019977.tif 000031
【図３１】
0005019977.tif 000032
【図３２】
0005019977.tif 000033
【図３３】
0005019977.tif 000034
【図３４】
0005019977.tif 000035
【図３５】
0005019977.tif 000036
【図３６】
0005019977.tif 000037
【図３７】
0005019977.tif 000038
【図３８】
0005019977.tif 000039
【図３９】
0005019977.tif 000040
【図４０】
0005019977.tif 000041
【図４１】
0005019977.tif 000042
【図４２】
0005019977.tif 000043
【図４３】
0005019977.tif 000044
【図４４】
0005019977.tif 000045
【図４５】
0005019977.tif 000046
【図４６】
0005019977.tif 000047
【図４７】
0005019977.tif 000048
【図４８】
0005019977.tif 000049